(57)【要約】 【課題】つかみ金具によって横架材間に架設又は懸架された仮設床材を撤去する仮設床材撤去作業の作業性を改善し、撤去作業時の作業者の作業上の負担又は負荷を軽減する。 【解決手段】仮設床材(1)は、仮設足場の作業床又は作業通路の床面(20)を形成する床材本体(2)と、床材本体の第１端部に配設された左右一対の可動式つかみ金具(4)と、床材本体の第２端部に配設された左右一対の固定式つかみ金具(10)とを有する。可動式つかみ金具は、外れ止め機能を手作業で解放可能な可動式の外れ止め(5)を有する。固定式つかみ金具は、横架材(B)上に着座するフック本体(11)と、フック本体と一体化した固定式の外れ止め(12)とを有する。フック本体の開口部は、自由運動方向(η)のフック本体の移動によって横架材を凹所(ε)内に受入れ、或いは、横架材が凹所から離脱するのを許容する。【選択図】図５
2020016144.tif 000002
【特許請求の範囲】
【請求項１】
横架材に係合したつかみ金具によって横架材間に架設又は懸架され、仮設足場の作業床又は作業通路を構成する仮設床材おいて、
仮設足場の作業床又は作業通路の床面を形成する床材本体と、該床材本体の第１端部に配設された左右一対の可動式つかみ金具と、前記床材本体の第２端部に配設された左右一対の固定式つかみ金具とを有し、
可動式つかみ金具は、前記横架材上に着座するように前記床材本体の第１端部に固定されたフック本体と、外れ止め機能を手動操作で選択的に解除可能な可動式外れ止めとを有し、
固定式つかみ金具は、前記横架材上に着座するように前記床材本体の第２端部に固定されたフック本体と、該フック本体と一体化した固定式外れ止めとを有し、
前記固定式つかみ金具のフック本体及び固定式外れ止めは、前記横架材の直径よりも僅かに大きい開口寸法の開口部を有し且つ該横架材を部分的に収容可能な実質的に半円形断面又はＵ字形断面の凹所を形成し、
該開口部は、水平面に対して傾斜した方向の前記フック本体の運動によって前記横架材を前記凹所内に受入れ且つ該横架材を該凹所から離脱せしめるように斜め下方に向かって開放していることを特徴とする仮設床材。
【請求項２】
横架材に係合したつかみ金具によって横架材間に架設又は懸架され、仮設足場の作業床又は作業通路を構成する仮設床材おいて、
仮設足場の作業床又は作業通路を形成するための床材本体と、該床材本体の第１端部及び第２端部に夫々配設された左右一対のつかみ金具とを有し、
前記つかみ金具は夫々、前記床材本体に固定され且つ前記横架材上に着座するフック本体を有し、
前記床材本体は、複数の床材部品を並列且つ一体的に連結した複合構造を有し、
前記床材部品は夫々、幅３５０mm以下且つ長さ４００mm以上のアルミ押出形材からなり、
該押出形材は、前記作業床又は作業通路の床面を形成する床板部分と、長手方向に延びる補剛リブと、側縁に形成された連結リブとを有し、
隣接する前記床材部品は、各床材部品の連結リブ同士を係合し且つ嵌合機構及び／又は固着手段によって一体的に連結してなる連結リブ複合体によって一体的に連接し、或いは、隣接する前記床材部品の各連結リブは、該連結リブに沿って延びるジョイント部材を介して相互連結され、該ジョイント部材は、嵌合機構及び／又は固着手段によって各床材部品の側縁部分に一体的に連結していることを特徴とする仮設床材。
【請求項３】
横架材に係合したつかみ金具によって横架材間に架設又は懸架され、仮設足場の作業床又は作業通路を構成する仮設床材おいて、
仮設足場の作業床又は作業通路の床面を形成する床材本体と、該床材本体の第１端部及び第２端部に夫々配設された左右一対のつかみ金具と、前記床材本体の床面を布方向に延長する床面延設部材とを有し、
前記つかみ金具は夫々、前記横架材上に着座するように前記床材本体の各端部に固定されたフック本体を有し、
前記横架材を収容する前記フック本体の凹所の中心は、前記床材本体の下面よりも下方の高さ位置に位置し、
前記床材本体の端部は、前記横架材から１５mm以上の水平距離(St)を隔てて離間し、
前記床面と前記横架材の頂部との高低差(Sh)は、１５mm以上の寸法に設定され、
前記横架材の直径延長線上の寸法(S1,S2)として１５mm以上の寸法を有する自由空間が前記横架材の外周域に形成されることを特徴とする仮設床材。
【請求項４】
前記床材本体は、床材部品を並列且つ一体的に連結した複合構造を有し、
前記床材部品は、幅３５０mm以下且つ長さ４００mm以上のアルミ押出形材からなり、
該押出形材は、前記作業床又は作業通路の床面を形成する床板部分と、長手方向に延びる補剛リブと、側縁に形成された連結リブとを有し、
隣接する前記床材部品は、各床材部品の連結リブ同士を係合し且つ嵌合機構及び／又は固着手段によって一体的に連結してなる連結リブ複合体によって一体的に連接し、或いは、隣接する前記床材部品の各連結リブは、該連結リブに沿って延びるジョイント部材を介して相互連結され、該ジョイント部材は、嵌合機構及び／又は固着手段によって各床材部品の側縁部分に一体的に連結していることを特徴とする請求項１に記載の仮設床材。
【請求項５】
前記床材本体の床面を布方向に延長する床面延設部材を更に有し、
前記横架材を収容する前記フック本体の凹所の中心は、前記床材本体の下面よりも下方の高さ位置に位置し、
前記床材本体の端部は、前記横架材から１５mm以上の水平距離(St)を隔てて離間し、前記床面と前記横架材の頂部との高低差(Sh)は、１５mm以上の寸法に設定され、
前記横架材の直径延長線上の寸法(S1,S2)として１５mm以上の寸法を有する自由空間が前記横架材の外周域に形成されることを特徴とする請求項１又は４に記載の仮設床材。
【請求項６】
前記床材本体の床面を布方向に延長する床面延設部材を更に有し、  
前記横架材を収容する前記フック本体の凹所の中心は、前記床材本体の下面よりも下方の高さ位置に位置し、
前記床材本体の端部は、前記横架材から１５mm以上の水平距離(St)を隔てて離間し、前記床面と前記横架材の頂部との高低差(Sh)は、１５mm以上の寸法に設定され、
前記横架材の直径延長線上の寸法(S1,S2)として１５mm以上の寸法を有する自由空間が前記横架材の外周域に形成されることを特徴とする請求項２に記載の仮設床材。
【請求項７】
前記フック本体は、該フック本体を水平に貫通する番線挿通孔(9,19)を備えることを特徴とする請求項１乃至６のいずれか１項に記載の仮設床材。
【請求項８】
前記床材本体は、床材を布枠に組付けた構造を有し、前記つかみ金具は、該布枠に取付けられ、前記床材本体及びつかみ金具は、床付き布枠を構成することを特徴とする請求項１又は３に記載の仮設床材。
【請求項９】
前記開口部の開口平面（λ）の垂線方向（η）は、水平面(HL)に対して２０〜６０度の角度範囲内の傾斜角（θ）をなす方向に配向されることを特徴とする請求項１、４又は５に記載の仮設床材。
【請求項１０】
前記固定式外れ止めは、前記横架材の外周面に接触し又は近接するようにして該横架材の下半部外周域に延び、平面視における固定式外れ止めと横架材との重なり寸法（β）は、５mm以上且つ１５mm以下の範囲内に設定されることを特徴とする請求項１、４、５又は９に記載の仮設床材。
【請求項１１】
前記床材本体の側端部に位置する前記補剛リブ(24:27)は、該床材本体の下面(2b)から下方に突出する突出部(24b:27b)を有し、前記床材本体の側端部上縁帯域(24a:27a)は、前記突出部と相補する形態の窪み又は後退面(24d:27d)を有し、段積み形態に積層した状態において、上側の仮設床材の突出部と下側の仮設床材の窪み又は後退面とが係合して上下の仮設床材の相対変位を規制又は拘束するようにしたことを特徴とする請求項２、４又は６に記載の仮設床材。
【請求項１２】
前記フック本体の基部(6a,11a)が、前記床材本体の側端部に位置する前記リブ(24:27:41)に固定されることを特徴とする請求項２、４、６又は１１に記載の仮設床材。
【請求項１３】
前記床材本体の床面を布方向に延長する床面延設部材を有し、該床面延設部材の鉛直板が前記アルミ押出形材の端面に当接し、該押出形材の当て板又はカバープレートを構成することを特徴とする請求項２、４、１１又は１２に記載の仮設床材。
【請求項１４】
前記水平距離(St)は、３０〜４０mmの範囲内の寸法に設定され、前記高低差(Sh)は、２０〜３０mm範囲内の寸法に設定され、前記自由空間の寸法（S1,S2)は、２０mm〜３５mmの範囲内の寸法に設定されることを特徴とする請求項３又は６に記載の仮設床材。
【請求項１５】
前記床材本体の下面(2b)は、前記凹所の中心(Bc)よりも上方の高さ位置に位置し、該下面と中心との高低差(ΔS)は、１５mm以下の寸法に設定されることを特徴とする請求項３、６又は１４に記載の仮設床材。
【請求項１６】
前記床面延設部材は、前記床材本体の端部に固定されたアルミ押出形材からなり、該床材本体の上面を延長する水平延出板部分(30)と、該水平延出板部分から垂下する鉛直板部分(31)と、前記横架材の外周面と対向する斜行板部分(32)とを有することを特徴とする請求項３、６、１４又は１５に記載の仮設床材。
【請求項１７】
前記斜行板は、識別表示として機能する表示具を脱着可能に保持する保持部を有することを特徴とする請求項１６に記載の仮設床材。
【請求項１８】
前記床材部品の幅は、１８０〜３２０mmの範囲内の寸法に設定され、前記ジョイント部材の幅は、５〜５０mmの範囲内の寸法に設定され、該ジョイント部材を介して二体の前記床材部品を並列に一体化してなる前記床材本体の幅は、４００〜７００mmの範囲内の寸法に設定されたことを特徴とする請求項２に記載の仮設床材。
【請求項１９】
前記床材部品は、該床材部品の長手方向に延びる該床材部品の鉛直中心面に対して実質的に左右対称の断面形状を有することを特徴とする請求項１８に記載の仮設床材。
【請求項２０】
請求項１８又は１９に記載された仮設床材を構成する床材部品の単体に前記つかみ金具を取付けてなる幅１８０〜３２０mmの仮設床材であって、該床材部品の第１端部及び第２端部に左右一対の前記つかみ金具のフック本体が取付けられていることを特徴とする仮設床材。
【請求項２１】
前記フック本体の基部(6a,11a)を前記リブに取付けるためのフック取付け手段が、前記リブの第１端部及び第２端部に設けられたことを特徴とする請求項２０に記載の仮設床材。
【請求項２２】
前記フック本体は、前記リブの鉛直部と平行な面を有し且つ平面視において真っ直ぐに延びる板状部材からなり、前記フック本体は、前記仮設床材の各端部に対をなして配置されるとともに、平面視において前記仮設床材の鉛直中心軸線に対して１８０度の回転対称の取付け位置に配置されることを特徴とする請求項１２に記載の仮設床材。
【請求項２３】
横架材に係合したつかみ金具によって横架材間に架設又は懸架され、仮設足場の作業床又は作業通路を構成する仮設床材おいて、
仮設足場の作業床又は作業通路を形成するための床材本体と、該床材本体の第１端部及び第２端部に夫々配設された左右一対のつかみ金具とを有し、
前記床材本体は、該床材本体の長手方向に延びる床材本体の鉛直中心面に対して実質的に左右対称の断面形状を有する幅２８０〜３２０mm且つ長さ４００mm以上のアルミ押出形材からなり、
該押出形材は、前記作業床又は作業通路の床面を形成する床板部分と、該床板部分の両側の側縁に沿って延びる左右一対の側縁リブとを有し、
前記つかみ金具は夫々、前記床材本体に固定され且つ前記横架材上に着座するフック本体を有し、該フック本体は、前記側縁リブの端部に固定されることを特徴とする仮設床材。
【請求項２４】
前記フック本体は、前記側縁リブの鉛直部と平行な面を有し且つ平面視において真っ直ぐに延びる板状部材からなり、前記仮設床材の各端部に対をなして配置されるとともに、平面視において前記仮設床材の鉛直中心軸線に対して１８０度の回転対称の取付け位置に配置されることを特徴とする請求項２３に記載の仮設床材。
【請求項２５】
前記床材本体の床面を布方向に延長する床面延設部材を有し、該床面延設部材の鉛直板が前記アルミ押出形材の端面に当接し、該押出形材の当て板又はカバープレートを構成することを特徴とする請求項２３又は２４に記載の仮設床材。
【請求項２６】
前記床材本体の端部は、前記横架材から１５mm以上の水平距離(St)を隔てて離間し、前記床面と前記横架材の頂部との高低差(Sh)は、１５mm以上の寸法に設定され、
前記横架材の直径延長線上の寸法(S1,S2)として１５mm以上の寸法を有する自由空間が前記横架材の外周域に形成されることを特徴とする請求項２５に記載の仮設床材。
【発明の詳細な説明】
【技術分野】
【０００１】
本発明は、仮設床材に関するものであり、より詳細には、仮設足場の横架材等に係合するつかみ金具によって隣り合う横架材等の間に架設又は懸架され、仮設足場の作業通路又は作業床を形成する仮設床材に関するものである。
【背景技術】
【０００２】
建築物、土木構造物、プラント設備等の建設工事に使用される仮設足場として、枠組足場、単管足場、楔結合式足場等の各種形式の仮設足場が日本国内において広く普及している。枠組足場又は楔結合式足場等において作業通路又は作業床を構成する仮設床材として、「床付き布わく」(床付き布枠)が知られている（特許文献１〜４、非特許文献１）。床付き布枠（布わく）は、床材、布材、梁材及びつかみ金具等を一体的に組み付けた構成を有する金属製仮設部材であり、床付き布枠の各部構造については、比較的厳格な基準が定められている（非特許文献２）。例えば、つかみ金具は、原則として、非特許文献２に記載される如く、「建わくの横架材からの浮き上がりを防止するための外れ止めを有していること」を要する。
【０００３】
一般に、床付き布枠は、左右一対のつかみ金具を両端部に有する。各つかみ金具のフック部分は、建てわく（建枠）の横架材、或いは、左右の支柱に楔結合した腕木等に係止する。各つかみ金具の外れ止め（可動爪）は、重力式セルフロック機構を有し、横架材又は腕木等（以下、横架材、腕木、桁材、梁材等の床荷重支持用の横部材又は水平部材を総称して「横架材」というものとする。）に対するフック部分の係止状態を拘束するので、各つかみ金具は、横架材上に係留される。図２０（Ａ）及び図２０（Ｂ）には、従来の床付き布枠１００を建枠Ａの横架材Ｂから取り外す過程が例示されている。足場解体時等に床付き布枠１００を横架材Ｂから取り外す際には、図２０（Ａ）に示す如く、床付き布枠１００の両端部に設けられたつかみ金具１０４の重力式セルフロック機構を実質的に同時に解放して床付き布枠1００を全体的に持ち上げるか、或いは、図２０（Ｂ）に示す如く、床付き布枠１００の一端部に設けられたつかみ金具１０４の重力式セルフロック機構を解放して床付き布枠１００の一端部を持ち上げ、その傾斜状態を維持しつつ、床付き布枠１００の他端部に設けられたつかみ金具１０４の重力式セルフロック機構を解放して床付き布枠１００の他端部を更に持ち上げる必要が生じる。前者の床付き布枠撤去作業は、一枚の床付き布枠の撤去のために複数の作業従事者（以下、「作業者」という。）を要する作業形態であるので、実務的には、あまり採用されていない。他方、後者の床付き布枠撤去作業は、作業者が単独で遂行し得る作業であり、これは、一般に採用される作業形態であるが、作業者の負担が比較的大きいことから、作業上の負担を軽減することが望ましい。 
【０００４】
床付き布枠撤去時の作業上の負担を軽減する対策として、外れ止めの重力式セルフロック機構を過渡的に解放状態に保持し得るように構成された床付き布枠が特許文献５に記載されている。この構成の床付き布枠においては、外れ止めを解放した直後につかみ金具を持ち上げて横架材上に載置することができるので、一端部の荷重を横架材によって過渡的に支持又は支承した状態で他端部の外れ止めを解放することができる。このような床付き布枠を使用した場合、単独の作業者が床付き布枠の端部間で移動して各端部を順次持ち上げ、床付き布枠を比較的容易に撤去し得るかもしれない。
【先行技術文献】
【特許文献】
【０００５】
【特許文献１】特開2017-160666号公報
【特許文献２】特開2010-185262号公報
【特許文献３】特開2014-80845号公報
【特許文献４】特開2000-179149号公報
【特許文献５】特開2017-166207号公報
【非特許文献】
【０００６】
【非特許文献１】建築工事標準仕様書・同解説、ＪＡＳＳ２、仮設工事（社団法人日本建築学会発行）
【非特許文献２】仮設工事認定基準とその解説、第８版（一般社団法人仮設工業会発行）
【発明の概要】
【発明が解決しようとする課題】
【０００７】
しかしながら、従来の床付き布枠は、４箇所のつかみ金具の全てに可動式の外れ止め部材を備えるので、作業者が全てのつかみ金具のロックを解除する必要があり、従って、床付き布枠撤去時に床付き布枠の一端部の荷重を横架材で過渡的に支持又は支承し得たとしても、床付き布枠撤去作業は、一般に作業者が単独で（一人で）遂行することが多いという実務上の実態等を考慮すると、更なる作業者の負担軽減を図る対策が望まれる。
【０００８】
また、床付き布枠撤去作業のみならず、床付き布枠設置時の作業上の負担をも軽減するには、床付き布枠を軽量化することが望ましい。この観点より、布材及び床材を一体成形したアルミニウム製又はアルミニウム合金製(以下、「アルミ製」という。）の床付き布枠の普及が望まれる。しかしながら、アルミ製床付き布枠は、アルミ製部材又は部品の種類及び部品点数が比較的多く、製造コスト及び製品価格が増大するという問題を有する。
【０００９】
これに対し、本発明者等は、布枠を省略してつかみ金具をアルミ製床材に直に取付けた構成の仮設床材を設計し、これにより、製造コストを軽減することを考慮したが、アルミ合金製部材は、一般に押出成形法によって製造されるのに対し、床付き布枠の多くは、５００〜９００mm程度の幅を有するので、比較的大形の成形ダイを備えた押出成形機を使用する必要があり、このため、製造コスト及び製品価格を所望の如く低減し難いという問題が生じた。
【００１０】
更に、仮設足場の横架材には、例えば、仮設階段のフック部が係止し、或いは、強化方杖等の補剛材の係留金具が係止し又は固定されるが、床付き布枠の端部(梁部分)とフック部又は係留金具等とが横架材近傍で位置的又は物理的に相互干渉し、例えば、フック部又は係留金具を横架材に容易に係止又は係留し難い状況が生じ易いという問題が従来より指摘されている。
【００１１】
本発明は、このような事情に鑑みてなされたものであり、その目的とするところは、つかみ金具によって横架材間に架設又は懸架された仮設床材を撤去する仮設床材撤去作業の作業性を改善し、撤去作業時の作業者の作業上の負担又は負荷を軽減することにある。なお、本明細書において「仮設床材」の用語は、床付き布枠に限定されず、布枠を備えない床材を包含した仮設足場の床構造体、床構成部材又は床構成要素を総称する用語として記載したものである。
【００１２】
本発明は又、つかみ金具によって横架材間に架設又は懸架される仮設床材に関し、床材本体をアルミニウム又はアルミニウム合金の押出形材（以下、「アルミ押出形材」という。）によって比較的安価に製造し得るように構成することを目的とする。
【００１３】
本発明は更に、つかみ金具によって横架材間に架設又は懸架される仮設床材において、仮設床材の端部と、他の仮設部材のフック部又は係留金具等とが横架材近傍で位置的又は物理的に干渉するのを確実に防止することを目的とする。
【課題を解決するための手段】
【００１４】
上記目的を達成すべく、本発明は、横架材に係合したつかみ金具によって横架材間に架設又は懸架され、仮設足場の作業床又は作業通路を構成する仮設床材おいて、
仮設足場の作業床又は作業通路の床面を形成する床材本体と、該床材本体の第１端部に配設された左右一対の可動式つかみ金具と、前記床材本体の第２端部に配設された左右一対の固定式つかみ金具とを有し、
可動式つかみ金具は、前記横架材上に着座するように前記床材本体の第１端部に固定されたフック本体と、外れ止め機能を手動操作で選択的に解除可能な可動式外れ止めとを有し、
固定式つかみ金具は、前記横架材上に着座するように前記床材本体の第２端部に固定されたフック本体と、該フック本体と一体化した固定式外れ止めとを有し、
前記固定式つかみ金具のフック本体及び固定式外れ止めは、前記横架材の直径よりも僅かに大きい開口寸法の開口部を有し且つ該横架材を部分的に収容可能な実質的に半円形断面又はＵ字形断面の凹所を形成し、
該開口部は、水平面に対して傾斜した方向の前記フック本体の運動によって前記横架材を前記凹所内に受入れ且つ該横架材を該凹所から離脱せしめるように斜め下方に向かって開放していることを特徴とする仮設床材を提供する。
【００１５】
本発明の上記構成によれば、作業者は、可動式つかみ金具の外れ止めを手作業で解放して床材本体の第１端部を横架材の上側に僅かに持ち上げて、仮設足場を全体的に傾斜させた後、仮設床材を全体的に斜め上方（傾斜方向）にずらし又はスライドさせることにより、仮設床材と横架材との係合を解くことができる。従って、作業者は、仮設床材の端部間で移動して両端部のつかみ金具を手動操作することを要しないので、仮設床材撤去作業の作業性が大きく改善し、撤去作業時の作業者の作業上の負担又は負荷は、大幅に軽減する。
【００１６】
本発明は又、横架材に係合したつかみ金具によって横架材間に架設又は懸架され、仮設足場の作業床又は作業通路を構成する仮設床材おいて、
仮設足場の作業床又は作業通路を形成するための床材本体と、該床材本体の第１端部及び第２端部に夫々配設された左右一対のつかみ金具とを有し、
前記つかみ金具は夫々、前記床材本体に固定され且つ前記横架材上に着座するフック本体を有し、
前記床材本体は、複数の床材部品を並列且つ一体的に連結した複合構造を有し、
前記床材部品は夫々、幅３５０mm以下且つ長さ４００mm以上のアルミ押出形材からなり、
該押出形材は、前記作業床又は作業通路の床面を形成する床板部分と、長手方向に延びる補剛リブと、側縁に形成された連結リブとを有し、
隣接する前記床材部品は、各床材部品の連結リブ同士を係合し且つ嵌合機構及び／又は固着手段によって一体的に連結してなる連結リブ複合体によって一体的に連接し、或いは、隣接する前記床材部品の各連結リブは、該連結リブに沿って延びるジョイント部材を介して相互連結され、該ジョイント部材は、嵌合機構及び／又は固着手段によって各床材部品の側縁部分に一体的に連結していることを特徴とする仮設床材を提供する。
【００１７】
本発明は更に、横架材に係合したつかみ金具によって横架材間に架設又は懸架され、仮設足場の作業床又は作業通路を構成する仮設床材おいて、
仮設足場の作業床又は作業通路を形成するための床材本体と、該床材本体の第１端部及び第２端部に夫々配設された左右一対のつかみ金具とを有し、
前記床材本体は、該床材本体の長手方向に延びる該床材本体の鉛直中心面に対して実質的に左右対称の断面形状を有する幅２８０〜３２０mm且つ長さ４００mm以上のアルミ押出形材からなり、
該押出形材は、前記作業床又は作業通路の床面を形成する床板部分と、該床板部分の両側の側縁に沿って延びる左右一対の側縁リブとを有し、
前記つかみ金具は夫々、前記床材本体に固定され且つ前記横架材上に着座するフック本体を有し、該フック本体は、前記側縁リブの端部に固定されることを特徴とする仮設床材を提供する。
【００１８】
本発明の上記構成によれば、床材本体は、比較的幅寸法が小さいアルミ押出形材の組立体、或いは、アルミ押出型材の単体からなり、各押出形材は、比較的小形の成形ダイによって押出成形することができるので、床材本体を比較的安価に製造することが可能となる。また、アルミ押出形材は、比較的軽量な素材であるアルミニウム又はアルミニウム合金の成形体であるので、仮設床材は、軽量化する。更に、本発明の仮設床材は、補剛リブ及び連結リブ、或いは、側縁リブを有するので、比較的高い曲げ剛性が得られる。
【００１９】
殊に、各床材部品の連結リブ同士を一体的に連結してなる連結リブ複合体によって床材部品を一体的に連接した本発明の構成によれば、仮設床材は、補剛リブ及び複合的補剛リブ（連結リブ複合体）によって効果的に補強されるので、比較的効果的に床材本体の厚さ低減（高さ方向の断面寸法の縮小）等を図ることが可能となる。即ち、本発明の仮設床材は、比較的軽量に設計し得るにもかかわらず、比較的高い曲げ剛性を発揮するので、床材本体の厚さ低減を図る上で有利である。
【００２０】
また、隣接する前記床材部品の各連結リブをジョイント部材によって一体的に連結する本発明の上記構成によれば、アルミ押出形材を並列配置して約４００〜５００mmの幅（フルサイズ）の仮設床材を製作するとともに、約２００〜２５０mmの幅（ハーフサイズ）の仮設床材を製作するにあたって、同一の断面形状及び断面寸法を有する共用又は標準のアルミ押出形材を使用することができるので、仮設床材の製造コスト及び製品価格を比較的大きく低減することができる。
【００２１】
他の観点より、本発明は、横架材に係合したつかみ金具によって横架材間に架設又は懸架され、仮設足場の作業床又は作業通路を構成する仮設床材おいて、
仮設足場の作業床又は作業通路の床面を形成する床材本体と、該床材本体の第１端部及び第２端部に夫々配設された左右一対のつかみ金具と、前記床材本体の床面を布方向に延長する床面延設部材とを有し、
前記つかみ金具は夫々、前記横架材上に着座するように前記床材本体の各端部に固定されたフック本体を有し、
前記横架材を収容する前記フック本体の凹所の中心は、前記床材本体の下面よりも下方の高さ位置に位置し、
前記床材本体の端部は、前記横架材から１５mm以上の水平距離(St)を隔てて離間し、
前記床面と前記横架材の頂部との高低差(Sh)は、１５mm以上の寸法に設定され、
前記横架材の直径延長線上の寸法(S1,S2)として１５mm以上の寸法を有する自由空間が前記横架材の外周域に形成されることを特徴とする仮設床材を提供する。
【００２２】
本発明の上記構成によれば、断面寸法１５mm以上の自由空間を横架材の外周域に確保し得るので、仮設床材の端部と、他の仮設部材のフック部又は係留金具等とが横架材近傍で位置的又は物理的に干渉するのを確実に防止することができる。
【発明の効果】
【００２３】
床材本体の第１端部に可動式つかみ金具を配設し、床材本体の第２端部に固定式つかみ金具を配設した本発明の仮設床材によれば、つかみ金具によって横架材間に架設又は懸架された仮設床材を撤去する仮設床材撤去作業の作業性を改善し、撤去作業時の作業者の作業上の負担又は負荷を軽減することができる。
【００２４】
床材本体を幅３５０mm以下のアルミ押出形材の単体又はその組立体より構成した本発明の仮設床材によれば、つかみ金具によって横架材間に架設又は懸架される仮設床材に関し、床材本体をアルミ製の押出形材によって比較的安価に製造することが可能となる。
【００２５】
横架材の外周域に自由空間を形成した本発明の仮設床材によれば、つかみ金具によって横架材間に架設又は懸架される仮設床材において、仮設床材の端部と、他の仮設部材のフック部又は係留金具等とが横架材近傍で位置的又は物理的に干渉するのを確実に防止することが可能となる。
【図面の簡単な説明】
【００２６】
【図１】図１は、本発明の好適な実施例に係る仮設床材を全体的に示す斜視図、平面図及び側面図である。
【図２】図２は、図１に示す仮設床材の縦断面図である。
【図３】図３は、図１及び図２に示す仮設床材を構成する第１押出形材の斜視図、端面図及び底面図である。
【図４】図４は、図１及び図２に示す仮設床材を構成する第２押出形材の斜視図、端面図及び底面図である。
【図５】図５は、可動式つかみ金具及び固定式つかみ金具の構成を示す仮設床材の拡大側面図である。
【図６】図６は、固定式つかみ金具の構造を示す平面図、側面図及び斜視図である。
【図７】図７は、本発明に係る仮設床材の撤去作業の作業手順を段階的に示す側面図である。
【図８】図８は、従来の床付き布枠（比較例）の撤去作業の作業手順を段階的に示す側面図である。
【図９】図９は、床面延設部材の構造を示す斜視図及び縦断面図である。
【図１０】図１０は、複数の仮設床材を積層した段積み形態を示す平面図、側面図及び斜視図である。
【図１１】図１１は、複数の仮設床材を積層した段積み形態を示す拡大端面図である。
【図１２】図１２は、本発明の他の好適な実施例に係る仮設床材を全体的に示す斜視図、平面図及び正面図である。
【図１３】図１３は、図１２に示す仮設床材の側面図及び部分破断拡大側面図である。
【図１４】図１４は、本実施例の仮設床材を構成する押出形材を示す斜視図、平面図及び側面図である。
【図１５】図１５は、押出形材の拡大端面図及び部分破断拡大側面図である。
【図１６】図１６は、左右一対の押出形材をジョイント部材によって連結する態様を概念的に示す端面図である。
【図１７】図１７（Ａ）は、左右一対の押出形材をジョイント部材によって連結してなる仮設床材の構成（フルサイズ）を示す端面図であり、図１７（Ｂ）は、単一の押出形材より構成される仮設床材の構成（ハーフサイズ）を示す端面図である。
【図１８】図１８（Ａ）は、図１２〜１７に示す仮設床材に配設される固定式つかみ金具の斜視図であり、図１８（Ｂ）は、図１２〜１７に示す仮設床材に配設される可動式つかみ金具の斜視図である。
【図１９】図１９（Ａ）は、単一の押出形材より構成される仮設床材の一端部の構成を示す端面図であり、図１９（Ｂ）は、図１９（Ａ）に示す仮設床材の他端部の構成を示す端面図である。
【図２０】図２０（Ａ）及び図２０（Ｂ）は、従来の床付き布枠を建枠の横架材から取り外す過程を示す仮設足場の側面図である。
【発明を実施するための形態】
【００２７】
本発明の好適な実施形態によれば、上記床材本体は、１２００mm以上、好ましくは、１５００mm以上の長さを有するアルミ押出形材から構成され、上記固定式つかみ金具における上記開口部の開口平面（λ）の垂線方向（η）は、水平面(HL)に対して２０〜６０度の角度範囲内の傾斜角（θ）をなす方向に配向され、上記固定式外れ止めは、上記横架材の外周面に接触し又は近接するようにして横架材の下半部外周域に延びる。好適には、平面視における固定式外れ止めと横架材との重なり寸法（β）は、５mm以上且つ１５mm以下の範囲内(例えば、約１０mm)に設定される。
【００２８】
本発明の他の好適な実施形態によれば、フック本体の基部(6a,11a)が、床材本体の側端部に位置する上記アルミ押出形材のリブ(24:27:41)に固定される。好ましくは、上記床面延設部材の鉛直板がアルミ押出形材の端面に当接し、押出形材の当て板又はカバープレートを構成する。好適には、アルミ押出形材の幅は、１５０mm以上に設定され、アルミ押出形材の長さは、２０００mm以下に設定される。
【００２９】
好ましくは、上記床材本体の側端部に位置する上記補剛リブ(24:27)は、上記床材本体の下面(2b)から下方に突出する突出部(24b:27b)を有し、床材本体の側端部上縁帯域(24a:27a)は、突出部と相補する形態の窪み又は後退面(24d:27d)を有する。このような構成によれば、段積み形態に積層した仮設床材において、上側の仮設床材の突出部(24b:27b)と下側の仮設床材の窪み又は後退面(24d:27d)とが係合し、上下の仮設床材の相対変位を規制又は拘束する。
【００３０】
本発明の更に他の好適な実施形態によれば、上記自由空間を横架材の外周域に形成した仮設床材において、上記水平距離(St)は、５０mm以下、好適には、３０〜４０mmの範囲内の寸法（例えば、３５mm）に設定され、上記高低差(Sh)は、５０mm以下、好適には、２０〜３０mm範囲内の寸法（例えば、２５mm）に設定され、自由空間の寸法（S1,S2)は、５０mm以下、好適には、２０mm〜３５mmの範囲内の寸法（例えば、２５mm）に設定される。好ましくは、床材本体の下面(2b)は、上記凹所の中心(Bc)よりも上方の高さ位置に位置し、床材本体の下面と中心との高低差(ΔS)は、１５mm以下の寸法（例えば、６mm）に設定される。更に好ましくは、床面延設部材は、床材本体の端部に固定されたアルミ押出形材からなり、床材本体の上面を延長する水平延出板部分(30)と、この水平延出板部分の基端部から垂下する鉛直板部分(31)と、上記横架材の外周面と対向して自由空間を画成する斜行板部分(32)とを有する。好適には、斜行板部分は、識別表示として機能する表示具(90)を脱着可能に保持する保持部(34)を有する。
【００３１】
本発明の好適な実施形態において、上記フック本体は、フック本体を水平に貫通する番線挿通孔(9,19)を備える。
【００３２】
本発明の他の好適な実施形態において、上記床材本体は、床材を布枠（梁材及び布材）に組付けた構造を有し、上記つかみ金具は、布枠に取付けられ、床材本体及びつかみ金具は、床付き布枠を構成する。
【００３３】
本発明の或る実施形態において、上記床材部品の幅は、１８０〜３２０mmの範囲内の寸法に設定され、上記ジョイント部材の幅は、５〜５０mm（好ましくは、１０〜２５mm）の範囲内の寸法に設定され、ジョイント部材を介して一体化した上記床材本体の幅は、４００〜７００mmの範囲内の寸法に設定される。更に好ましくは、床材部品は、床材部品の長手方向に延びる床材部品の鉛直中心面に対して実質的に左右対称の断面形状を有する。「実質的に左右対称」とは、他の部品との連結、接合、係合等に関係しない内部補強構造等については、必ずしも「左右対称」であることを要しないという趣旨の記載である。このような仮設床材の床材部品を用いた幅１８０〜３２０mmの仮設床材においては、床材部品の第１端部及び第２端部に左右一対のつかみ金具のフック本体が取付けられる。好適には、上記リブの第１端部及び第２端部には、フック本体の基部をリブに取付けるためのフック取付け手段が設けられる。
【００３４】
本発明の他の実施形態において、上記基部(6a,11a)は、上記リブの鉛直部と平行に配置され且つ平面視において真っ直ぐに延びる板状部材からなり、上記フック本体は、仮設床材の各端部に対をなして配置されるとともに、仮設床材の平面視鉛直中心軸線に対して１８０度の回転対称の取付け位置に配置される。
【実施例１】
【００３５】
以下、添付図面を参照して、本発明の好適な実施例について詳細に説明する。 
【００３６】
図１は、本発明の好適な実施例に係る仮設床材を全体的に示す斜視図、平面図及び側面図である。図２は、仮設床材の縦断面図であり、図３及び図４は、仮設床材を構成する押出形材の斜視図、端面図及び底面図である。
【００３７】
図１（Ａ）には、枠組足場の建枠Ａに支持又は支承された仮設床材１が示されている。建枠Ａは、横架材Ｂ及び脚柱Ｃを一体化し、補剛材Ｄ、Ｅ等によって補強してなる鋼製の枠体である。仮設床材１は、床材本体２を有し、床材本体２の上面（床面）２０は、仮設足場の作業通路又は作業床を構成する。床面延設部材３が、床材本体２の両端部に一体的に取付けられる。図１（Ｂ）及び図１（Ｃ）に示す如く、左右一対の可動式つかみ金具４が、床材本体２の一端部に配設され、左右一対の固定式つかみ金具１０が、床材本体２の他端部に配設される。なお、以下の説明においては、枠組足場の建枠Ａの横架材Ｂに仮設床材１を架設した構成について説明するが、本実施例の仮設床材１は、枠組足場のみならず、楔結合式足場においても横架材（腕木）間に架設し得るように設計されており、従って、枠組足場及び楔結合式足場の各形式の足場において共用又は兼用可能な仮設床材である。
【００３８】
仮設床材１は、従来の床付き布枠と同様、つかみ金具４、１０を建枠Ａの横架材Ｂに係止することにより、隣り合う建枠Ａの横架材Ｂ間に架設又は懸架される。しかしながら、仮設床材１は、従来の床付き布枠と異なり、布枠(布材及び梁)を備えておらず、補剛リブ２４〜２９（図２）を備えたアルミニウム製又はアルミニウム合金製の上記床材本体２と、床面延設部材３と、つかみ金具４、１０とから構成される。補剛リブ２４〜２９は、鉛直荷重等に抗する曲げ剛性(断面係数等)の向上という点でおいて、床付き布枠の布枠又は布地材に相当する構造要素である。
【００３９】
図２に示す如く、床材本体２は、第１押出形材２１及び第２押出形材２２を中央連結部２ａにおいて一体的に連結した構造を有する。図３に示す如く、第１押出形材２１は、補剛用の側縁リブ２４、中間リブ２５及び連結リブ２６を床板部分２１ａに一体成形したアルミ押出形材からなる。図４に示す如く、第２押出形材２２は、補剛用の側縁リブ２７、中間リブ２８及び連結リブ２９を床板部分２２ａに一体成形したアルミ押出形材からなる。側縁リブ２４、２７、中間リブ２５、２８及び連結リブ２６、２９は、幅方向（梁間方向又は腕木方向）に間隔を隔てて並列配置され、互いに平行且つ長手方向（布方向又は桁方向）に延びる。側縁リブ２４、２７の上縁部は、下側に屈曲した屈曲部２４ａ、２７ａを有し、側縁リブ２４、２７の下縁部は、下方に突出した突出部２４ｂ、２７ｂを有する。後述するとおり、屈曲部２４ａ、２７ａ及び突出部２４ｂ、２７ｂは、複数の仮設床材１を段積みした状態で係合し、仮設床材１の段積み状態を安定化する（この点ついては、図１０及び図１１を参照して後述する）。なお、本明細書において、「補剛リブ」は、補剛機能を有する「側縁リブ」「中間リブ」及び「連結リブ」の総称であり、「連結リブ」は、連結機能を有する「側縁リブ」である。
【００４０】
図２に示す如く、連結リブ２６、２９は、中央連結部２ａにおいて連接され、溶接等の固着手段により一体化される。具体的には、連結リブ２６、２９は、連結リブ２９の突起２９ａを連結リブ２６の溝２６ａに挿入又は嵌入し、連結リブ２６、２９の屈曲部２６ｂ、２９ｂを上下に重ね合わせ、連結リブ２６、２９の鉛直部２６ｃ、２９ｃを突付けることによって連接され、屈曲部２６ｂ、２９ｂを溶接等の固着手段で接合することによって一体化される。
【００４１】
本例において、押出形材２１、２２は、幅約２５０mm、高さ約４５mm、長さ約１７００mmの寸法を有する。仮設床材１の全幅は、約５００mmである。なお、本例の仮設床材１は、二体の押出形材２１、２２を並列に連結した構造を有するが、所望により、一体の押出形材のみによって仮設床材１を構成し、或いは、三体以上の押出形材を並列に連結して仮設床材１を構成することも可能である。
【００４２】
図５は、可動式つかみ金具４及び固定式つかみ金具１０の構成を示す仮設床材１の拡大側面図である。
【００４３】
図５（Ａ）に示す如く、可動式つかみ金具４は、重力式（セルフロック式）の可動爪からなる外れ止め５と、横架材Ｂの上面に着座して横架材Ｂに係止するフック本体６とから構成される。図２及び図５（Ａ）に示す如く、フック本体６の基部６ａが側縁リブ２４、２７の溝内に延入し、ボルト・ナット組立体６ｂによって側縁リブ２４、２７の鉛直部２４ｃ、２７ｃに固定される。
【００４４】
外れ止め５及びフック本体６は夫々、一体成形されたアルミ製部品からなる。外れ止め５は、湾曲スロット（長孔）７を有し、フック本体６は、スロット７を貫通する上下一対の水平スタッド（水平支軸）８を有する。外れ止め５は、常時は、重力下に降下した降下位置（図５（Ａ））に位置する。上側のスタッド８は、スロット７の上縁部分を支承し、外れ止め５の係止部５ａは、横架材Ｂの外周面に接触し又は近接する。外れ止め５は、横架材Ｂの下半部外周域に延び、平面視において外れ止め５と重なり、重なり寸法αは、５mm以上且つ１５mm以下、例えば、約１０mmに設定される。風圧等に起因した仮設床材１の浮き上がり等は、係止部５ａと横架材Ｂとの係合によって阻止される。
【００４５】
図５（Ｂ）に示す如く、外れ止め７を手指で上方に押し上げ、下側のスタッド８がスロット７の下縁部分に当接又は衝合すると、外れ止め５の係止部５ａは、横架材Ｂの下半部外周域から退避し、フック本体６の凹所を比較的大きく下方に開放する。外れ止め７は、この退避位置（図５（Ｂ））において、横架材Ｂに対する仮設床材１の上方変位を許容するので、つかみ金具４を上方に持ち上げて横架材Ｂから離間又は離脱させることができる。
【００４６】
フック本体６は、フック本体６の上部を水平に貫通する円形断面の番線挿通孔９を備える。所望より、番線（図示せず）を番線挿通孔９に挿通して横架材Ｂ廻りに周回せしめた後、番線を固縛し又は緊締し、これにより、フック本体６を横架材Ｂに番線固定することができる。
【００４７】
他方、固定式つかみ金具１０は、図５（Ａ）に示す如く、横架材Ｂに係止可能なフック本体１１と、フック本体１１に固定された固定爪からなる外れ止め１２とから構成される。つかみ金具４と同様、フック本体１１の基部１１ａが側縁リブ２４、２７の溝内に延入し、ボルト・ナット組立体１１ｂによって側縁リブ２４、２７の鉛直部２４ｃ、２７ｃに固定される。
【００４８】
図６は、つかみ金具１０の構造を示す平面図、側面図及び斜視図である。
【００４９】
フック本体１１及び外れ止め１２は夫々、一体成形されたアルミ製部品からなり、フック本体１１及び外れ止め１２は、溶接等の固着手段により一体的に接合又は固着される。フック本体１１は、フック本体１１の上部を水平に貫通する円形断面の番線挿通孔１９を備える。所望より、番線（図示せず）を番線挿通孔１９に挿通して横架材Ｂ廻りに周回せしめた後、番線を固縛し又は緊締し、これにより、フック本体１１を横架材Ｂに番線固定することができる。フック本体１１には、ボルト・ナット組立体１１ｂを挿通可能な一対のボルト孔１４が穿設される。外れ止め１２は、実質的に平行な上下の傾斜面１２ｂ、１２ｃを有し、傾斜面１２ｂ、１２ｃは、複数の仮設床材１を段積み状態に積み重ねた際に仮設床材１の相対位置を規制し又は拘束し、仮設床材１の段積み状態を安定化する（この点ついては、図１０を参照して後述する）。
【００５０】
図６（Ａ）に示す如く、つかみ金具１０は、基部１１aに対してフック本体１１の位置を側方に変位させるように変形したシフト部１６を中央部に有する。図５（Ａ）及び図６（Ｂ）に示すように、着座部１５は、横架材Ｂの上面に着座するように湾曲した湾曲着座面１７を有する。外れ止め１２の係止部１３は、横架材Ｂの外周面に接触し又は近接するようにして横架材Ｂの下半部外周域に延び、横架材Ｂは、平面視（図６（Ａ））において外れ止め１２と重なる。水平方向の重なり寸法βは、５mm以上且つ１５mm以下、例えば、約１０mmに設定される。係止部１３の上方変位は、寸法βの重なりに依る係止部１３と横架材Ｂとの係合によって阻止される。例えば、風圧等に起因した仮設床材１の浮き上がり現象は、係止部１３が横架材Ｂに係合することによって阻止される。なお、シフト部１６と同様のシフト部が、可動式つかみ金具４のフック本体６（図５）にも設けられる。シフト部１６及びフック本体６のシフト部は、横架材Ｂの両側に敷設される各仮設床材１のつかみ金具４、１０の係止位置を相対的に仮設床材１の幅方向にずらし、つかみ金具４、１０が横架材Ｂ上で物理的又は位置的に干渉するのを防止するための手段である。
【００５１】
図６（Ｂ）に示す如く、着座部１５の先端面下端部１５ａは、横架材Ｂの頂部Ｂａよりも僅かに下方に位置しており、頂部Ｂａと先端面下端部１５ａとの鉛直方向の重なり寸法γは、３mm以上且つ８mm以下、例えば、約５mmに設定される。係止部１３の水平変位は、寸法γの重なりに依る先端面下端部１５ａと横架材Ｂとの係合によって阻止される。
【００５２】
図６（Ｂ）には、先端面下端部１５ａと外れ止め１２の先端部１２ａとによって規定されるフック本体１１の開口平面λが示されている。湾曲着座面１７及び係止部１３によって画成されるつかみ金具１０の横架材収容域は、横架材Ｂを部分的に収容し得る実質的に半円形断面又はＵ字形断面の凹所εを形成する。凹所εは、水平面ＨＬに対して所定角度をなして下方に傾斜した状態で横架材Ｂを凹所ε内に受入れ且つ横架材Ｂを凹所εから離脱せしめるように斜め下方に向かって開口している。開口平面λにおけるフック本体１１の開口寸法Ｄ２は、横架材Ｂの直径（外径）Ｄ１よりも僅かに大きく設定される。枠組足場（及び楔結合式足場）では、横架材Ｂの直径Ｄ１は、一般に４２．７mmである。これに対し、フック本体１１の開口寸法Ｄ２は、４４〜４８mmの範囲内（例えば、約４５mm）に設定される。また、図６（Ｂ）には、開口平面λに対する垂線方向（斜め上方）の矢印ηが示されている。フック本体１１の鉛直上方の運動は、係止部１３及び横架材Ｂの係合によって阻止され、フック本体１１の水平方向の運動は、先端面下端部１５ａと横架材Ｂとの係合によって阻止されるが、フック本体１１は、矢印η方向（以下、「自由運動方向」という。）には自由に移動することができる。自由運動方向ηは、水平面ＨＬに対して２０〜６０度の角度範囲、好ましくは、３０〜５０度の角度範囲内の傾斜角θ、例えば、傾斜角θ＝４０度に設定される。
【００５３】
従って、仮設床材１は、図５（Ａ）に示すように横架材Ｂ間に架設又は懸架された状態では、つかみ金具４、１０の外れ止め５、１２によって上方変位及び水平変位を拘束されるが、つかみ金具４の外れ止め５を退避位置（図５（Ｂ））に移動させてつかみ金具４を上方に持ち上げ、つかみ金具４を横架材Ｂから離脱させると、仮設床材１を全体的に自由運動方向η方向に移動させることができるので、横架材Ｂに対して仮設床材１を斜め上方（自由運動方向η）にスライドさせることにより、仮設床材１を横架材Ｂから離間して撤去することができる。
【００５４】
図７は、仮設床材１の撤去作業の作業手順を段階的に示す側面図であり、図８は、従来の床付き布枠（比較例）の撤去作業の作業手順を段階的に示す側面図である。本発明と従来技術との相違に関する理解を容易にするため、仮設床材１の撤去作業について説明する前に、従来の床付き布枠の撤去作業について、図８を参照して説明する。
【００５５】
図８（Ａ）には、仮設足場の横架材Ｂに支持され、作業通路又は作業床を構成する従来の床付き布枠１００が示されている。床付き布枠１００は、床材１０１、布材１０２及び梁材（はり材）１０３を一体的に組み付けてなる鋼製の仮設部材である。左右一対のつかみ金具１０４が左右の布材１０２の両端部に一体的に取付けられており、従って、実質的に同じ構造を有するつかみ金具１０４が、床付き布枠１００の４つの角部に夫々配設されている。図８（Ｂ）に示す如く、各つかみ金具１０４は、重力式可動爪からなる外れ止め１０５と、横架材Ｂに着座可能なフック本体１０６とから構成される。外れ止め１０５は、湾曲したスロット（長孔）１０７を有し、フック本体に水平に固定されたスタッド（支軸）１０８がスロット１０７を貫通する。各つかみ金具１０４の外れ止め１０５は、横架材Ｂの下半部外周域に延び、フック本体１０６の上方変位を阻止する降下位置（以下、「係留位置」という。）に位置する。外れ止め１０５は、係留位置において、風圧等に起因した床付き布枠１００の浮き上がり等を防止する。なお、図８には、前述の特許文献５に記載された構造及び形態を有する外れ止め１０５が例示されている。
【００５６】
仮設足場の解体撤去時等に床付き布枠１００を横架材Ｂから撤去する場合には、図８（Ｂ）に矢印で示す如く、一端部（図８において左側の端部）の外れ止め１０５を手指で上方に変位させ、図８（Ｃ）に示す如く、フック本体１０６の下面を開放し（以下、この位置を「開放位置」という。）、フック本体１０６を上方変位させる。図８（Ｃ）に矢印で示すように床付き布枠１００の端部を上方に持ち上げた後、図８（Ｅ）に示すように外れ止め１０５を手指で下方に変位させると、外れ止め１０５の下端部が横架材Ｂの上面に着座し、床付き布枠１００の端部が横架材Ｂによって支持又は支承される。この状態では、他端部（図８において右側の端部）の外れ止め１０５は、依然として係留位置に位置する（図８（Ｆ））。
【００５７】
作業者が床付き布枠１００の他端部に移動し、図８（Ｆ）に矢印で示すように他端部の外れ止め１０５を手指で開放位置に変位させ、図８（Ｇ）に矢印で示すように床付き布枠１００の端部を上方に持ち上げると、床付き布枠１００は、図８（Ｈ）に示す如く、横架材Ｂから完全に離脱する。作業者は、図８（Ｈ）に矢印で示すように床付き布枠１００を全体的に持ち上げ、或いは、傾倒させ、これにより、床付き布枠１００を横架材Ｂから撤去することができる。
【００５８】
このような従来の床付き布枠１００を使用した場合、作業者は、床付き布枠１００の端部間で移動し、各端部の外れ止め１０５を手指で開放位置に変位させる手動ロック解除操作を実施しなければならない。このような端部間の移動の間、作業者は、床付き布枠１００の姿勢及び位置等の安定状態を維持しなければならず、これは、従来より、作業上の負担又は負荷として作業者に意識又は認識されていた。これに対し、本実施例の仮設床材１は、以下に説明するとおり、一方の端部の外れ止め１０５を操作する必要をなくし、作業上の負担又は負荷を大幅に軽減する。
【００５９】
本発明に係る仮設床材１の撤去作業の過程又は工程が図７に示されている。前述の如く、仮設床材１は、左右一対の可動式つかみ金具４を布枠本体２の一端部に配設し、左右一対の固定式つかみ金具１０を布枠本体２の他端部に配設した構成を有する。可動式つかみ金具４は、図８に示すつかみ金具１０４と概ね同等の構造を有するが、固定式つかみ金具１０は、前述の如く、フック本体１１に固定された固定爪からなる外れ止め１２を有する。外れ止め１２は、図７（Ｃ）に示すように横架材Ｂの下半部外周域に延び、フック本体１０６の上方変位を阻止し、従って、外れ止め５と同様、外れ止め１２も又、風圧等に起因した仮設床材１の浮き上がり等を防止するように機能する。
【００６０】
仮設足場の解体撤去時等に仮設床材１を横架材Ｂから取り外す場合、図７（Ｂ）に矢印で示す如く、外れ止め７を手指で上方に押し上げ、図７（Ｄ）に示す開放位置に変位させると、図７（Ｄ）及び図７（Ｇ）に矢印で示すようにフック本体６を上方変位させることができる。つかみ金具１０は、横架材Ｂ廻りに回転するので、フック本体６の近傍において仮設床材１の端部を手指で押し上げると、仮設床材１は、図７（Ｅ）に示すように全体的に傾斜する。仮設床材１の最小限の傾斜角θ’は、２〜５度程度、例えば、３度程度で良い。図７（Ｆ）に示す如く、この状態でつかみ金具１０を自由運動方向ηに移動させると、つかみ金具１０は、図７（Ｉ）に示す如く、横架材Ｂから離脱する。
【００６１】
即ち、図７（Ｅ）〜図７（Ｇ）に矢印で示すように仮設床材１を全体的に斜め上方に移動させると、つかみ金具１０が横架材Ｂとの係合を円滑に解き、図７（Ｉ）に示すようにつかみ金具１０が横架材Ｂから完全に離脱するので、作業者は、図７（Ｈ）に示す如く、仮設床材１を全体的に持ち上げ、或いは、傾倒させ、これにより、仮設床材１を横架材Ｂから撤去することができる。  
【００６２】
かくして、本実施例の仮設床材１によれば、作業者は、つかみ金具４を解放して仮設床材１の端部を若干押し上げ且つ仮設床材１を僅かに傾斜させた後、仮設床材１を斜め上方（自由運動方向）に移動させることにより、仮設床材１を撤去することができ、従って、仮設床材１の端部間で移動して両端部のつかみ金具を操作する作業工程を要しない。このため、作業者の労力が大幅に低減し、作業上の負担又は負荷が大幅に軽減する。
【００６３】
次に、図９を参照して仮設床材１の床面延設部材３の構成について説明する。図９は、床面延設部材３の構造を示す斜視図及び縦断面図である。
【００６４】
床面延設部材３は、床材本体２と同じく、アルミ押出形材からなり、溶接等の固着手段によって仮設床材２の端部に固定される。床面延設部材３は、床材本体２の上面２０を延長する水平延出板３０と、水平延出板３０から垂下する鉛直板３１と、横架材Ｂの外周面と対向する斜行板３２と、表示具９０を保持する保持部３４と、床面延設部材３の中空部に配設された補剛部材３５とを有する。鉛直板３１は、アルミ押出形材の端面の当て板又はカバープレートとして機能する。斜行板３２は、水平延出板３０の先端部と鉛直板３１の下端部とを一体的に連結し、補剛部材３５は、床面延設部材３の剛性を向上するように水平延出板３０及び鉛直板３１と保持部３４とを一体的に連結する。
【００６５】
着色樹脂の一体成形品からなる着脱可能な表示具９０が保持部３４に装着される。表示具９０は、表示部９１、係留部９２及び連結部９３を有する。表示部９１は、仮設床材１の製造者、ユーザー、種類、型等の任意の情報を色、或いは、表面の文字、図形等によって表示する。表示部９１は、断面長方形の帯状部材であり、床面延設部材３の長手方向に延在する。係留部９２は、保持部３４の中空部３６内に挿入され、連結部９３は、保持部３４の狭小開口部３７を貫通し、係留部９１及び表示具９０を相互連結する。表示具９０を交換する場合には、既存の表示具９０の表示部９１を手指で引っ張って係留部９２を中空部３６から抜き出し、他の表示具９０の係留部９２を中空部３６内に挿入すれば良い。
【００６６】
図９（Ｂ）に示す如く、床面延設部材３は、床材本体２の端部から比較的大きく突出し、床面延出部材３の先端部は、隣接する仮設床材１の床面延出部材３（破線で示す）の先端部に近接する。このため、布方向（長手方向）に隣接する床材本体２同士を比較的大きく離間させることができる。本例において、斜行板３２及び横架材Ｂは、直径方向の距離Ｓ１、Ｓ２を隔てて離間しており、横架材Ｂ廻りに延在する比較的大きな自由空間Ｓが斜行板３２と横架材Ｂとの間に形成される。距離Ｓ１、Ｓ２は、１５mm〜５０mmの範囲内、好適には、２０mm〜３５mmの範囲内（例えば、約２５mm）に設定される。このような自由空間Ｓを形成するため、床材本体２の下面２ｂは、横架材Ｂの中心Ｂｃ（フック本体６、１１の凹所中心）よりも上方に位置し、下面２ｂと中心Ｂｃとの高低差ΔＳは、１５mm以下、好ましくは、３〜１０mmの範囲内（例えば、６mm）に設定される。また、床材本体２の上面２０と横架材Ｂの頂部Ｂａとの高低差Ｓｈは、１５mm〜５０mmの範囲内、好適には、２０〜３０mm（例えば約２５mm）に設定され、床材本体２の端面と横架材Ｂとの水平離間距離Ｓｔは、１５mm〜５０mmの範囲内、好適には、３０〜４０mmの範囲内（例えば約３５mm）に設定される。自由空間Ｓは、横架材Ｂに係止又は係合する部材と、仮設床材１との位置的又は物理的干渉を防止するクリアランス（隙間）として機能する。例えば、仮設階段のフック部（図示せず）や、強化方杖等の補剛材の係留金具（図示せず）は、自由空間Ｓの形成により、床材本体２及び床面延設部材３と位置的又は物理的に干渉することなく、比較的容易に横架材Ｂに係止又は係合することができる。また、このようなクリアランスの形成により、隣り合う仮設床材１の端面間において作業床又は作業通路が分断されるが、前述のとおり、床面延設部材３は、床材本体２の上面（床面）２０を延長し、隣接する仮設床材１同士の間に実質的な隙間が形成されるのを防止する。
【００６７】
次に、図１０及び図１１を参照して仮設床材１の段積み格納について説明する。図１０及び図１１は、複数の仮設床材１を積層した段積み形態を示す平面図、側面図、斜視図及び拡大端面図である。
【００６８】
図１０及び図１１に示す如く、複数の仮設床材１を段積み形態に積層して格納することができる。好ましくは、最下段の仮設床材１は、上下反転した反転状態で配置され、第２段目以上の仮設床材１は、使用時の状態（即ち、上面２０を上に向けた状態）で積み重ねられる。図１１に示すように、上段の仮設床材１の突出部２４ｂ、２７ｂの内側傾斜面２４ｃ、２７ｃが下段の仮設床材１の屈曲部２４ａ、２７ａの外側傾斜面２４ｄ、２７ｄの外側に位置する。外側傾斜面２４ｄ、２７ｄは、段積み時に突出部２４ｂ、２７ｂと相補する形態の窪み又は後退面を構成する。内側傾斜面２４ｃ、２７ｃ及び外側傾斜面２４ｄ、２７ｄは、段積み状態において互いに当接又は近接して上下の仮設床材１の幅方向の相対変位を規制又は拘束する。また、上下の仮設床材１の各可動式つかみ金具４は、上下の仮設床材１が長手方向に相対変位しようとすると、上下の外れ止め５同士が互いに衝合又は当接して上下の仮設床材１の相対変位を規制又は拘束する。他方、上下の仮設床材１の各固定式つかみ金具１０は、上下の仮設床材１が長手方向に相対変位しようとすると、上側のつかみ金具１０の傾斜面１２ｃ（図６）と下側のつかみ金具１０の傾斜面１２ｂ（図６）とが互いに衝合又は当接して上下の仮設床材１の相対変位を規制又は拘束する。従って、上下の仮設床材１の幅方向及び長手方向の横ずれは、突出部２４ｂ、２７ｂの係合、上下の外れ止め５同士の衝合又は当接、或いは、上下の傾斜面１２ｂ、１２ｃの衝合又は当接によって効果的に阻止することができる。
【実施例２】
【００６９】
図１２は、本発明の他の好適な実施例に係る仮設床材を全体的に示す斜視図、平面図及び正面図であり、図１３は、図１２に示す仮設床材の側面図及び部分破断拡大側面図である。図１４は、本実施例の仮設床材を構成する押出形材を示す斜視図、平面図及び側面図であり、図１５は、押出形材の拡大端面図及び部分破断拡大側面図である。図１６は、左右一対の押出形材をジョイント部材によって連結する態様を概念的に示す正面図であり、図１７（Ａ）は、左右一対の押出形材をジョイント部材によって連結してなる仮設床材の構成（フルサイズ）を示す端面図である。図１７（Ｂ）は、単一の押出形材より構成される仮設床材の構成（ハーフサイズ）を示す端面図である。図１８（Ａ）は、仮設床材に配設される固定式つかみ金具の斜視図であり、図１８（Ｂ）は、仮設床材に配設される可動式つかみ金具の斜視図である。図１９（Ａ）は、単一の押出形材より構成される仮設床材の一端部の構成を示す端面図であり、図１９（Ｂ）は、図１９（Ａ）に示す仮設床材の他端部の構成を示す端面図である。各図において、図１〜１１（実施例１）に示す各構成要素又は構成部材と実質的に同一又は同等の構成要素又は構成部材については、同一の参照符号が付されている。
【００７０】
前述の実施例（図１〜１１）に係る仮設床材１の床材本体２は、第１押出形材２１及び第２押出形材２２を中央連結部２ａにおいて一体的に連結した構造を有し、中央連結部２ａは、第１押出形材２１の連結リブ２６と、第２押出形材２２の連結リブ２９とを一体的に組付けてなる雄雌嵌合接続式の連結構造を有する。第１押出形材２１の断面形状と第２押出形材２２の断面形状とは必然的に相違するので、押出成形機は、各押出形材を押出成形する少なくとも２種類の成形ダイ（金型）を要し、各押出形材２１、２２を個々に成形する少なくとも二種類又は二回の押出成形工程を要する。また、押出形材２１、２２を並列に組付けてなる仮設床材１の全幅は、一般に、約４００〜５００mm（フルサイズ又はノーマルサイズ（以下、フルサイズという。））であるが、実際には、約２００〜２５０mm（ハーフサイズ）の幅を有する仮設床材が多くの建設現場において一般に併用されている。このため、本発明（実施例１）に係る仮設床材を実用化するには、約２５０mmの幅を有する単列・単枚の押出形材からなる仮設床材を各建設現場に供給する必要が生じる。しかしながら、前述の押出形材２１、２２は、このようなハーフサイズの仮設床材の資材として兼用し難く、押出形材２１、２２とは異なる断面形状の押出形材をハーフサイズ専用の仮設床材用資材として別途に製造又は製作しなければならず、従って、単列・単枚式の押出形材を成形するための成形ダイを用いた押出成形工程が更に必要とされる。即ち、実施例１の構成に従って本発明（実施例１）に係る仮設床材１を実用化しようとすると、少なくとも３種類の成形ダイを用意し、少なくとも３種の押出形成工程を実行する必要が生じ、しかも、このようにして成形された３種類の押出形材には互いに互換性がなく、このような事情より、製造工程の煩雑化や製造コスト増大等の問題が生じ得る。従って、前述の実施例（図１〜１１）に係る仮設床材１は、製造工程の簡素化や、製造コストの低廉化等の観点より、更に改善すべき余地が残されている。
【００７１】
図１２〜図１９には、仮設床材の製造コスト及び製品価格を更に低減すべく、単一の成形ダイによってフルサイズ及びハーフサイズ兼用の押出形材を設計し得るように構成した本実施例の仮設床材１’、１”が示されている。本実施例によれば、同一の断面形状及び断面寸法を有する共用又は標準の押出形材４０によって約４００〜５００mm幅（フルサイズ）の仮設床材１’及び約２００〜２５０mm幅（ハーフサイズ）の仮設床材１”を製作し得るので、仮設床材の製造コスト及び製品価格を更に低減することが可能となる。以下、押出形材４０を用いた仮設床材１’、１”の構成について説明する。
【００７２】
図１２及び図１３には、枠組足場の建枠Ａに支持又は支承された仮設床材１’が示されている。仮設床材１’は、床材本体２’を有し、床材本体２’の上面（床面）は、仮設足場の作業通路又は作業床を構成する。前述の実施例と同様、床面延設部材３が、床材本体２’の両端部に一体的に取付けられ、左右一対の可動式つかみ金具４が、床材本体２’の一端部に配設され、左右一対の固定式つかみ金具１０が、床材本体２’の他端部に配設される。仮設床材１’は、左右一対の押出形材４０をジョイント部材５０によって並列且つ一体的に連結した点において実施例１の仮設床材１と相違するが、この他の基本構成については、実施例１と実質的に同一であるので、重複した説明は、省略する。
【００７３】
図１４及び図１５に示すように、押出形材４０は、補剛用の側縁リブ４１及び中間リブ４２を床板部分４０ａに一体成形したアルミ押出形材からなる。側縁リブ４１は、連結リブとして機能し、中間リブ４２は、連結機能を有しない補剛リブとして機能する。押出形材４０の幅Ｗ、長さＬ及び厚さＴは、例えば、約２４０mm（Ｗ）、約１８３０mm（Ｌ）及び約３５mm（Ｔ）に設定される。床板部分４０ａの上面には、押出形材４０の長手方向（布方向）に平行に延びる複数の突条４５（図１５（Ａ））が並設されるとともに、押出形材４０の幅方向（梁間方向）に平行に延びる多数の狭小溝４６（図１５（Ｂ））が約１〜４mm程度の微小間隔を隔てて刻設される。各側縁リブ４１の両端部には、リベット孔４１ｃが穿設される。図１３（Ｂ）に示す如く、フック本体６、１１の基部６ａ、１１ａが、リベット孔４１ｃに挿通されたリベット６ｃ、１１ｃによって側縁リブ４１に固定される。
【００７４】
図１５（Ａ）に示すとおり、押出形材４０は、鉛直中心面ＣＬに対して左右対称の形状・輪郭を有する。側縁リブ４１及び中間リブ４２は、幅方向（梁間方向又は腕木方向）に間隔を隔てて並列配置され、互いに平行且つ長手方向（布方向又は桁方向）に延びる。床板部分４０ａの両側の縁には、下側に僅かに屈曲した屈曲部４３が形成される。側縁リブ４１は、床板部分４０ａの各側縁帯域から一体的に垂下する鉛直部４１ａと、鉛直部４１ａに下端から水平に延出する下側フランジ部４１ｂとを有する。下側フランジ部４１ｂの外側の縁には、上側に僅かに屈曲した屈曲部４４が形成される。
【００７５】
図１６及び図１７（Ａ）に示す如く、左右一対の押出形材４０がジョイント部材５０を介して一体的に連結される。ジョイント部材５０は、押出形材４０と実質的に同一の全長を有する概ね方形断面のアルミ押出形材である。ジョイント部材５０の各角部には、屈曲部４３、４４を挿入可能又は嵌入可能な溝５３、５４が形成される。図１６に示すように、一対の押出形材４０の屈曲部４３、４４がジョイント部材５０の溝５３、５４に挿入又は嵌入され、一対の押出形材４０がジョイント部材５０の各側の側部に夫々連接される。押出形材４０及びジョイント部材５０は、屈曲部４３、４４の部分を溶接等の固着手段でジョイント部材５０に接合することによって一体化する。
【００７６】
このように押出形材４０をジョイント部材５０によって一体的に連結してなる床材本体２’は、押出形材４０同士の離間距離Ｗ２を含む幅Ｗ１（＝Ｗ×２＋Ｗ２）の全体寸法（幅寸法）を有する。ジョイント部材５０は、押出形材５０の厚さＴと実質的に同一の高さを有し、離間距離Ｗ２よりも大きい幅Ｗ３を有する。本例において、幅Ｗ３は約３０mmに設定され、離間距離Ｗ２は約２０mmに設定され、幅Ｗ１は、約５００mmに設定される。
【００７７】
かくして左右一対の押出形材４０を一体化した床材本体２’には、床面延設部材３（図１２及び図１３）、可動式つかみ金具４及び固定式つかみ金具１０を取付けられ、図１７（Ａ）に示すようにフルサイズ（幅約５００mm）の仮設床材１’が製作されるが、押出形材４０は、図１７（Ｂ）に示す如く、ハーフサイズ（幅約２４０mm）の仮設床材１”としても使用し得る。
【００７８】
即ち、押出形材４０は、鉛直中心面ＣＬに対して左右対称の形状・輪郭を有し、左右の鉛直部４１ａには、リベット孔４１ｃが穿設され、リベット６ｃ、１１ｃによってフック本体６、１１の基部６ａ、１１ａを鉛直部４１ａに取付けることができ、しかも、押出形材４０の幅Ｗは約２４０mmであり、一般的なハーフサイズ（幅約２００〜２５０mm）の仮設床材として使用可能な幅寸法を有する。従って、図１７（Ｂ）に示すように可動式つかみ金具４及び固定式つかみ金具１０を押出形材４０（床材本体２”）の両端部に取付けるとともに、ハーフサイズ用の床面延設部材３（図７（Ｂ）に一点鎖線で示す）を押出形材４０の各端部に取付けることにより、ハーフサイズ（幅約２４０mm）の仮設床材１”を押出形材４０によって製作することができる。
【００７９】
かくして、本実施例に係る押出形材４０は、フルサイズ（幅約５００mm）の仮設床材１’の構成要素として使用し得るのみならず、ハーフサイズ（幅約２４０mm）の仮設床材１”の構成要素としても使用し得るので、一種類の成形ダイを使用した押出形成工程により押出形材４０を量産し、これをフルサイズ及びハーフサイズ共用の資材として使用すれば良く、従って、本実施例によれば、仮設床材の製造コスト及び製品価格を比較的大きく低減することができる。
【００８０】
図１８には、仮設床材１’、１”に取付けられる可動式つかみ金具４及び固定式つかみ金具１０の構成が示されている。つかみ金具４、１０は、前述の実施例と実質的に同一の基本構成を有するが、図６（Ａ）に示すシフト部１６のようなシフト部又は変形部を備えず、従って、フック本体６、１１は、全体的に均一な板厚を有する真っ直ぐな平板状の金属部品であり、側縁リブ４１の鉛直部４１ａと平行な鉛直面を有する。図１９には、つかみ金具４、１０を鉛直部４１ａに取付けた状態が示されている。前述の如く、つかみ金具４、１０の基部６ａ、１１ａは、リベット６ｃ、１１ｃ（図１３（Ｂ））によって鉛直部４１ａに取付けられるが、つかみ金具４、１０は、図１９に示す如く、片側において鉛直部４１ａの内側（幅方向内方の側）に配設され、幅方向反対側において鉛直部４１ａの外側（幅方向外方の側）に配設される。即ち、つかみ金具４、１０の取付け位置は、仮設床材１”の平面視鉛直中心軸線に対して１８０度の回転対称の位置である。このようなつかみ金具４、１０の取付け位置の回転対称性は、図１７（Ａ）に示す如く、左右一対の押出形材４０をジョイント部材５０によって並列に連結してなる仮設床材１’においても同様に採用される。
【００８１】
かくして、図１７（Ｂ）及び図１９に示す仮設床材１”は、押出形材４０の単体にフック本体６、１１及び床面延設部材３を取付けた構成を有し、幅Ｗ＝２４０mm程度の仮設床材１”は、枠組足場等の仮設足場においてハーフサイズの仮設床材として好適に使用し得る。幅Ｗの値を設定変更し、例えば、仮設床材１”の幅Ｗを約２８０〜３２０mm程度の寸法（例えば、３００mm）に設定することにより、仮設床材１”を支保工足場等の仮設床材として好適に使用し得る。
【００８２】
以上、本発明の好適な実施形態及び実施例について詳細に説明したが、本発明は上記実施形態及び実施例に限定されるものではなく、特許請求の範囲に記載された本発明の範囲内で種々の変形又は変更が可能である。
【００８３】
例えば、上記実施例に係る仮設床材は、アルミ押出形材に直につかみ金具を取付けた構造のものであるが、従来の床付き布枠のつかみ金具に換えて、本発明に係るつかみ金具を配設した構成を有する床付き布枠として構成しも良い。
【００８４】
また、上記実施例の説明は、主として、枠組足場の建枠によって仮設床材を支持した構成に関するものであるが、前述のとおり、本発明の仮設床材は、楔結合式足場の横架材（腕木）によっても支持することができる。所望により、本発明の仮設床材をブラケット足場、移動式足場等の他の形式の足場において使用し、或いは、他の形式の足場において好適に使用し得るように設計変更することも可能である。
【００８５】
更に、可動式つかみ金具の各部構造については、本発明に適合する限りにおいて、従来の任意の形態、寸法又は設計を適宜採用することができ、また、押出形材の補剛リブの断面性状及び寸法等については、本発明に適合する限りにおいて、任意の設計を採用することができる。
【００８６】
また、上記実施例では、つかみ金具をボルト・ナット組立体又はリベットによって床材本体に固定しているが、つかみ金具を他の固定手段又は接合手段によって床材本体に固定しても良い。
【産業上の利用可能性】
【００８７】
本発明は、建築・土木工事等において使用される枠組足場、楔結合式足場等において、仮設足場の横架材等に係合するつかみ金具によって隣り合う横架材の間に架設又は懸架され、仮設足場の作業通路又は作業床を形成する仮設床材に適用される。床材本体の第１端部に可動式つかみ金具を配設し、床材本体の第２端部に固定式つかみ金具を配設した本発明の仮設床材によれば、つかみ金具によって横架材間に架設又は懸架された仮設床材を撤去する仮設床材撤去作業の作業性を改善し、撤去作業時の作業者の作業上の負担又は負荷を軽減することができる。また、床材本体を幅３５０mm以下のアルミ押出形材の単体又はその組立体より構成した本発明の仮設床材によれば、つかみ金具によって横架材間に架設又は懸架される仮設床材を軽量なアルミ押出形材によって比較的安価に製造することができ、従って、本発明は、仮設足場の設置・撤去作業の作業性を改善する軽量なアルミ製仮設床材の普及に寄与する。更に、横架材の外周域に前述の自由空間を形成する本発明の仮設床材によれば、仮設床材の端部と、他の仮設部材のフック部又は係留金具等とが横架材近傍で位置的又は物理的に干渉するのを確実に防止することできる。かくして、本発明によれば、仮設足場の設置又は撤去作業に従事する作業者の作業上の負担又は負荷を大幅に軽減することが可能となるので、その実用的効果は、顕著である。
【符号の説明】
【００８８】
１、１’、１”  仮設床材
２、２’、２”  床材本体
２ａ  中央連結部
２ｂ  下面
３  床面延設部材
４  可動式つかみ金具
５、１２  外れ止め
５ａ  係止部
６  フック本体
６ａ、１１ａ  基部
６ｂ、１１ｂ  ボルト・ナット組立体
６ｃ、１１ｃ  リベット
７  湾曲スロット
８  水平スタッド
９、１９  番線挿通孔
１０  固定式つかみ金具
１１  フック本体
１２ａ  先端部
１３  係止部
１５  着座部
１５ａ  先端面下端部
１７  湾曲着座面
２０  上面（床面）
２１、２２、４０  押出形材
２１ａ、２２ａ、４０ａ  床板部分
２４〜２９、４１、４２  リブ
２４ａ、２７ａ  屈曲部
２４ｂ、２７ｂ  突出部
２４ｃ、２７ｃ  内側傾斜面
２４ｄ、２７ｄ  外側傾斜面
３０  延出板
３０  水平延出板
３１  鉛直板
３２  斜行板
３４  保持部
４１ｃ  リベット孔
４３、４４  屈曲部
５０  ジョイント部材
５３、５４  溝
９０  表示具
Ａ  建枠
Ｂ  横架材
Ｂａ  横架材の頂部
Ｂｃ  横架材の中心（凹所の中心）
Ｄ１  横架材の直径
Ｄ２  フック本体の開口寸法
Ｓ  自由空間
Ｓ１、Ｓ２  直径方向の離間距離
Ｓｈ、ΔＳ  高低差
Ｓｔ  水平離間距離
α、β、γ  重なり寸法
ε  凹所
λ  開口平面
η  自由運動方向
θ、θ’  傾斜角
【図１】
2020016144.tif 000003
【図２】
2020016144.tif 000004
【図３】
2020016144.tif 000005
【図４】
2020016144.tif 000006
【図５】
2020016144.tif 000007
【図６】
2020016144.tif 000008
【図７】
2020016144.tif 000009
【図８】
2020016144.tif 000010
【図９】
2020016144.tif 000011
【図１０】
2020016144.tif 000012
【図１１】
2020016144.tif 000013
【図１２】
2020016144.tif 000014
【図１３】
2020016144.tif 000015
【図１４】
2020016144.tif 000016
【図１５】
2020016144.tif 000017
【図１６】
2020016144.tif 000018
【図１７】
2020016144.tif 000019
【図１８】
2020016144.tif 000020
【図１９】
2020016144.tif 000021
【図２０】
2020016144.tif 000022
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
横架材に係合したつかみ金具によって横架材間に架設又は懸架され、仮設足場の作業床又は作業通路を構成する仮設床材おいて、
仮設足場の作業床又は作業通路を形成するための床材本体と、該床材本体の第１端部及び第２端部に夫々配設された左右一対のつかみ金具とを有し、
前記つかみ金具は夫々、前記床材本体に固定され且つ前記横架材上に着座するフック本体を有し、
前記床材本体は、複数の床材部品を並列且つ一体的に連結した複合構造を有し、
前記床材部品は夫々、幅３５０mm以下且つ長さ４００mm以上のアルミ押出形材からなり、
該押出形材は、前記作業床又は作業通路の床面を形成する床板部分と、長手方向に延びる補剛リブと、側縁に形成された連結リブとを有し、
隣接する前記床材部品は、各床材部品の連結リブ同士を係合し且つ嵌合機構及び／又は固着手段によって一体的に連結してなる連結リブ複合体によって一体的に連接していることを特徴とする仮設床材。    
【請求項２】
横架材に係合したつかみ金具によって横架材間に架設又は懸架され、仮設足場の作業床又は作業通路を構成する仮設床材おいて、
仮設足場の作業床又は作業通路を形成するための床材本体と、該床材本体の第１端部及び第２端部に夫々配設された左右一対のつかみ金具とを有し、
前記つかみ金具は夫々、前記床材本体に固定され且つ前記横架材上に着座するフック本体を有し、
前記床材本体は、複数の床材部品を並列且つ一体的に連結した複合構造を有し、
前記床材部品は夫々、幅３５０mm以下且つ長さ４００mm以上のアルミ押出形材からなり、
該押出形材は、前記作業床又は作業通路の床面を形成する床板部分と、長手方向に延びる補剛リブと、側縁に形成された連結リブとを有し、
隣接する前記床材部品の各連結リブは、該連結リブに沿って延びるジョイント部材を介して相互連結され、該ジョイント部材は、嵌合機構及び／又は固着手段によって各床材部品の側縁部分に一体的に連結していることを特徴とする仮設床材。
【請求項３】
前記床材本体の床面を布方向に延長する床面延設部材を更に有し、  
前記横架材を収容する前記フック本体の凹所の中心は、前記床材本体の下面よりも下方の高さ位置に位置し、
前記床材本体の端部は、前記横架材から１５mm以上の水平距離(St)を隔てて離間し、
前記床面と前記横架材の頂部との高低差(Sh)は、１５mm以上の寸法に設定され、
前記横架材の直径延長線上の寸法(S1,S2)として１５mm以上の寸法を有する自由空間が前記横架材の外周域に形成されることを特徴とする請求項１又は２に記載の仮設床材。
【請求項４】
前記床材本体の側端部に位置する前記補剛リブ(24:27)は、該床材本体の下面(2b)から下方に突出する突出部(24b:27b)を有し、前記床材本体の側端部上縁帯域(24a:27a)は、前記突出部と相補する形態の窪み又は後退面(24d:27d)を有し、段積み形態に積層した状態において、上側の仮設床材の突出部と下側の仮設床材の窪み又は後退面とが係合して上下の仮設床材の相対変位を規制又は拘束するようにしたことを特徴とする請求項１乃至３のいずれか１項に記載の仮設床材。
【請求項５】
前記フック本体の基部(6a,11a)が、前記床材本体の側端部に位置する前記リブ(24:27:41)に固定されることを特徴とする請求項１乃至４のいずれか１項に記載の仮設床材。
【請求項６】
前記床材本体の床面を布方向に延長する床面延設部材を有し、該床面延設部材の鉛直板が前記アルミ押出形材の端面に当接し、該押出形材の当て板又はカバープレートを構成することを特徴とする請求項１乃至５のいずれか１項に記載の仮設床材。
【請求項７】
前記水平距離(St)は、３０〜４０mmの範囲内の寸法に設定され、前記高低差(Sh)は、２０〜３０mm範囲内の寸法に設定され、前記自由空間の寸法（S1,S2)は、２０mm〜３５mmの範囲内の寸法に設定されることを特徴とする請求項３に記載の仮設床材。
【請求項８】
前記床材本体の下面(2b)は、前記凹所の中心(Bc)よりも上方の高さ位置に位置し、該下面と中心との高低差(ΔS)は、１５mm以下の寸法に設定されることを特徴とする請求項１乃至７のいずれか１項に記載の仮設床材。    
【請求項９】
前記床面延設部材は、前記床材本体の端部に固定されたアルミ押出形材からなり、該床材本体の上面を延長する水平延出板部分(30)と、該水平延出板部分から垂下する鉛直板部分(31)と、前記横架材の外周面と対向する斜行板部分(32)とを有することを特徴とする請求項３又は７に記載の仮設床材。
【請求項１０】
前記フック本体は、前記リブの鉛直部と平行な面を有し且つ平面視において真っ直ぐに延びる板状部材からなり、前記フック本体は、前記仮設床材の各端部に対をなして配置されるとともに、平面視において前記仮設床材の鉛直中心軸線に対して１８０度の回転対称の取付け位置に配置されることを特徴とする請求項５に記載の仮設床材。
【請求項１１】
前記床材部品の幅は、１８０〜３２０mmの範囲内の寸法に設定され、前記ジョイント部材の幅は、５〜５０mmの範囲内の寸法に設定され、該ジョイント部材を介して二体の前記床材部品を並列に一体化してなる前記床材本体の幅は、４００〜７００mmの範囲内の寸法に設定されたことを特徴とする請求項２に記載の仮設床材。
【請求項１２】
前記床材部品は、該床材部品の長手方向に延びる該床材部品の鉛直中心面に対して実質的に左右対称の断面形状を有することを特徴とする請求項２又は１１に記載の仮設床材。
【請求項１３】
請求項１１又は１２に記載された仮設床材を構成する床材部品の単体に前記つかみ金具を取付けてなる幅１８０〜３２０mmの仮設床材であって、該床材部品の第１端部及び第２端部に左右一対の前記つかみ金具のフック本体が取付けられていることを特徴とする仮設床材。
【請求項１４】
前記フック本体の基部(6a,11a)を前記リブに取付けるためのフック取付け手段が、前記リブの第１端部及び第２端部に設けられたことを特徴とする請求項１３に記載の仮設床材。
【請求項１５】
横架材に係合したつかみ金具によって横架材間に架設又は懸架され、仮設足場の作業床又は作業通路を構成する仮設床材おいて、
仮設足場の作業床又は作業通路を形成するための床材本体と、該床材本体の第１端部及び第２端部に夫々配設された左右一対のつかみ金具とを有し、
前記床材本体は、該床材本体の長手方向に延びる床材本体の鉛直中心面に対して実質的に左右対称の断面形状を有する幅２８０〜３２０mm且つ長さ４００mm以上のアルミ押出形材からなり、
該押出形材は、前記作業床又は作業通路の床面を形成する床板部分と、該床板部分の両側の側縁に沿って延びる左右一対の側縁リブとを有し、
前記つかみ金具は夫々、前記床材本体に固定され且つ前記横架材上に着座するフック本体を有し、該フック本体は、前記側縁リブの端部に固定されることを特徴とする仮設床材。
【請求項１６】
前記フック本体は、前記側縁リブの鉛直部と平行な面を有し且つ平面視において真っ直ぐに延びる板状部材からなり、前記仮設床材の各端部に対をなして配置されるとともに、平面視において前記仮設床材の鉛直中心軸線に対して１８０度の回転対称の取付け位置に配置されることを特徴とする請求項１５に記載の仮設床材。
【請求項１７】
前記床材本体の床面を布方向に延長する床面延設部材を有し、該床面延設部材の鉛直板が前記アルミ押出形材の端面に当接し、該押出形材の当て板又はカバープレートを構成することを特徴とする請求項１５又は１６に記載の仮設床材。
【請求項１８】
前記床材本体の端部は、前記横架材から１５mm以上の水平距離(St)を隔てて離間し、前記床面と前記横架材の頂部との高低差(Sh)は、１５mm以上の寸法に設定され、前記横架材の直径延長線上の寸法(S1,S2)として１５mm以上の寸法を有する自由空間が前記横架材の外周域に形成されることを特徴とする請求項１７に記載の仮設床材。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
しかしながら、床付き布枠撤去作業のみならず、床付き布枠設置時の作業上の負担をも軽減するには、床付き布枠を軽量化することが望ましい。この観点より、布材及び床材を一体成形したアルミニウム製又はアルミニウム合金製(以下、「アルミ製」という。）の床付き布枠の普及が望まれるが、アルミ製床付き布枠は、アルミ製部材又は部品の種類及び部品点数が比較的多く、製造コスト及び製品価格が増大するという問題を有する。
【手続補正４】
【補正対象書類名】明細書
【補正対象項目名】００１０
【補正方法】変更
【補正の内容】
【００１０】
また、仮設足場の横架材には、例えば、仮設階段のフック部が係止し、或いは、強化方杖等の補剛材の係留金具が係止し又は固定されるが、床付き布枠の端部(梁部分)とフック部又は係留金具等とが横架材近傍で位置的又は物理的に相互干渉し、例えば、フック部又は係留金具を横架材に容易に係止又は係留し難い状況が生じ易いという問題が従来より指摘されている。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
本発明は、このような事情に鑑みてなされたものであり、その目的とするところは、つかみ金具によって横架材間に架設又は懸架される仮設床材に関し、床材本体をアルミニウム又はアルミニウム合金の押出形材（以下、「アルミ押出形材」という。）によって比較的安価に製造し得るように構成することにある。
【手続補正７】
【補正対象書類名】明細書
【補正対象項目名】００１３
【補正方法】変更
【補正の内容】
【００１３】
本発明は又、つかみ金具によって横架材間に架設又は懸架される仮設床材において、仮設床材の端部と、他の仮設部材のフック部又は係留金具等とが横架材近傍で位置的又は物理的に干渉するのを確実に防止することを目的とする。
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】変更
【補正の内容】
【００１６】
上記目的を達成すべく、本発明は、横架材に係合したつかみ金具によって横架材間に架設又は懸架され、仮設足場の作業床又は作業通路を構成する仮設床材おいて、
仮設足場の作業床又は作業通路を形成するための床材本体と、該床材本体の第１端部及び第２端部に夫々配設された左右一対のつかみ金具とを有し、
前記つかみ金具は夫々、前記床材本体に固定され且つ前記横架材上に着座するフック本体を有し、
前記床材本体は、複数の床材部品を並列且つ一体的に連結した複合構造を有し、
前記床材部品は夫々、幅３５０mm以下且つ長さ４００mm以上のアルミ押出形材からなり、
該押出形材は、前記作業床又は作業通路の床面を形成する床板部分と、長手方向に延びる補剛リブと、側縁に形成された連結リブとを有することを特徴とする仮設床材を提供する。
本発明の仮設床材は更に、(1)隣接する前記床材部品は、各床材部品の連結リブ同士を係合し且つ嵌合機構及び／又は固着手段によって一体的に連結してなる連結リブ複合体によって一体的に連接することを特徴とし（請求項１）、或いは、(2)隣接する前記床材部品の各連結リブは、該連結リブに沿って延びるジョイント部材を介して相互連結され、該ジョイント部材は、嵌合機構及び／又は固着手段によって各床材部品の側縁部分に一体的に連結することを特徴とする（請求項２）。
【手続補正１１】
【補正対象書類名】明細書
【補正対象項目名】００１７
【補正方法】変更
【補正の内容】
【００１７】
他の観点より、本発明は、横架材に係合したつかみ金具によって横架材間に架設又は懸架され、仮設足場の作業床又は作業通路を構成する仮設床材おいて、
仮設足場の作業床又は作業通路を形成するための床材本体と、該床材本体の第１端部及び第２端部に夫々配設された左右一対のつかみ金具とを有し、
前記床材本体は、該床材本体の長手方向に延びる該床材本体の鉛直中心面に対して実質的に左右対称の断面形状を有する幅２８０〜３２０mm且つ長さ４００mm以上のアルミ押出形材からなり、
該押出形材は、前記作業床又は作業通路の床面を形成する床板部分と、該床板部分の両側の側縁に沿って延びる左右一対の側縁リブとを有し、
前記つかみ金具は夫々、前記床材本体に固定され且つ前記横架材上に着座するフック本体を有し、該フック本体は、前記側縁リブの端部に固定されることを特徴とする仮設床材を提供する。
【手続補正１２】
【補正対象書類名】明細書
【補正対象項目名】００１８
【補正方法】変更
【補正の内容】
【００１８】
本発明の上記構成によれば、床材本体は、比較的幅寸法が小さいアルミ押出形材の組立体、或いは、比較的幅寸法が小さいアルミ押出型材の単体からなり、各押出形材は、比較的小形の成形ダイによって押出成形することができるので、床材本体を比較的安価に製造することが可能となる。また、アルミ押出形材は、比較的軽量な素材であるアルミニウム又はアルミニウム合金の成形体であるので、仮設床材は、軽量化する。更に、本発明の仮設床材は、補剛リブ及び連結リブ、或いは、側縁リブを有するので、比較的高い曲げ剛性を発揮する。
【手続補正１３】
【補正対象書類名】明細書
【補正対象項目名】００２１
【補正方法】変更
【補正の内容】
【００２１】
好ましくは、仮設床材は、上記床材本体の床面を布方向に延長する床面延設部材を更に有する。
更に好ましくは、上記横架材を収容するつかみ金具のフック本体の凹所中心は、床材本体の下面よりも下方の高さ位置に位置し、床材本体の端部は、横架材から１５mm以上の水平距離(St)を隔てて離間し、床面と横架材の頂部との高低差(Sh)は、１５mm以上の寸法に設定され、横架材の直径延長線上の寸法(S1,S2)として１５mm以上の寸法を有する自由空間が横架材の外周域に形成される。
【手続補正１４】
【補正対象書類名】明細書
【補正対象項目名】００２２
【補正方法】変更
【補正の内容】
【００２２】
このような仮設床材の構成によれば、断面寸法１５mm以上の自由空間を横架材の外周域に確保し得るので、仮設床材の端部と、他の仮設部材のフック部又は係留金具等とが横架材近傍で位置的又は物理的に干渉するのを確実に防止することができる。
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】変更
【補正の内容】
【００２４】
本発明の上記構成によれば、つかみ金具によって横架材間に架設又は懸架される仮設床材に関し、床材本体をアルミ製の押出形材によって比較的安価に製造することができる。
【手続補正１７】
【補正対象書類名】明細書
【補正対象項目名】００２５
【補正方法】変更
【補正の内容】
【００２５】
また、床面延設部材の下側において横架材の外周域に自由空間を形成した本発明の仮設床材によれば、つかみ金具によって横架材間に架設又は懸架される仮設床材において、仮設床材の端部と、他の仮設部材のフック部又は係留金具等とが横架材近傍で位置的又は物理的に干渉するのを確実に防止することができる。
【手続補正１８】
【補正対象書類名】明細書
【補正対象項目名】００２６
【補正方法】変更
【補正の内容】
【００２６】
【図１】図１は、本発明の好適な実施例に係る仮設床材を全体的に示す斜視図、平面図及び側面図である。
【図２】図２は、図１に示す仮設床材の縦断面図である。
【図３】図３は、図１及び図２に示す仮設床材を構成する第１押出形材の斜視図、端面図及び底面図である。
【図４】図４は、図１及び図２に示す仮設床材を構成する第２押出形材の斜視図、端面図及び底面図である。
【図５】図５は、可動式つかみ金具及び固定式つかみ金具の構成を示す仮設床材の拡大側面図である。
【図６】図６は、固定式つかみ金具の構造を示す平面図、側面図及び斜視図である。
【図７】図７は、図１〜図６に示す仮設床材の撤去作業の作業手順を段階的に示す側面図である。
【図８】図８は、従来の床付き布枠（比較例）の撤去作業の作業手順を段階的に示す側面図である。
【図９】図９は、床面延設部材の構造を示す斜視図及び縦断面図である。
【図１０】図１０は、複数の仮設床材を積層した段積み形態を示す平面図、側面図及び斜視図である。
【図１１】図１１は、複数の仮設床材を積層した段積み形態を示す拡大端面図である。
【図１２】図１２は、本発明の他の好適な実施例に係る仮設床材を全体的に示す斜視図、平面図及び正面図である。
【図１３】図１３は、図１２に示す仮設床材の側面図及び部分破断拡大側面図である。
【図１４】図１４は、本実施例の仮設床材を構成する押出形材を示す斜視図、平面図及び側面図である。
【図１５】図１５は、押出形材の拡大端面図及び部分破断拡大側面図である。
【図１６】図１６は、左右一対の押出形材をジョイント部材によって連結する態様を概念的に示す端面図である。
【図１７】図１７（Ａ）は、左右一対の押出形材をジョイント部材によって連結してなる仮設床材の構成（フルサイズ）を示す端面図であり、図１７（Ｂ）は、単一の押出形材より構成される仮設床材の構成（ハーフサイズ）を示す端面図である。
【図１８】図１８（Ａ）は、図１２〜１７に示す仮設床材に配設される固定式つかみ金具の斜視図であり、図１８（Ｂ）は、図１２〜１７に示す仮設床材に配設される可動式つかみ金具の斜視図である。
【図１９】図１９（Ａ）は、単一の押出形材より構成される仮設床材の一端部の構成を示す端面図であり、図１９（Ｂ）は、図１９（Ａ）に示す仮設床材の他端部の構成を示す端面図である。
【図２０】図２０（Ａ）及び図２０（Ｂ）は、従来の床付き布枠を建枠の横架材から取り外す過程を示す仮設足場の側面図である。
【手続補正１９】
【補正対象書類名】明細書
【補正対象項目名】００２７
【補正方法】変更
【補正の内容】
【００２７】
本発明の好適な実施形態によれば、上記床材本体は、１２００mm以上、好ましくは、１５００mm以上の長さを有するアルミ押出形材から構成され、床材本体の第１端部には、左右一対の可動式つかみ金具が配設され、床材本体の第２端部には、左右一対の固定式つかみ金具が配設される。可動式つかみ金具は、横架材上に着座するように床材本体の第１端部に固定されたフック本体と、外れ止め機能を手動操作で選択的に解除可能な可動式外れ止めとを有し、他方、固定式つかみ金具は、横架材上に着座するように床材本体の第２端部に固定されたフック本体と、フック本体と一体化した固定式外れ止めとを有する。固定式つかみ金具のフック本体及び固定式外れ止めは、横架材の直径よりも僅かに大きい開口寸法の開口部を有し且つ横架材を部分的に収容可能な実質的に半円形断面又はＵ字形断面の凹所を形成する。この開口部は、水平面に対して傾斜した方向のフック本体の運動によって横架材を凹所内に受入れ且つ横架材を凹所から離脱せしめるように斜め下方に向かって開放する。好ましくは、固定式つかみ金具における開口部の開口平面（λ）の垂線方向（η）は、水平面(HL)に対して２０〜６０度の角度範囲内の傾斜角（θ）をなす方向に配向され、固定式外れ止めは、横架材の外周面に接触し又は近接するようにして横架材の下半部外周域に延びる。更に好ましくは、平面視における固定式外れ止めと横架材との重なり寸法（β）は、５mm以上且つ１５mm以下の範囲内(例えば、約１０mm)に設定される。
【手続補正２０】
【補正対象書類名】明細書
【補正対象項目名】００３０
【補正方法】変更
【補正の内容】
【００３０】
本発明の更に他の好適な実施形態によれば、上記自由空間を床面延設部材の下側で横架材の外周域に形成した仮設床材において、上記水平距離(St)は、５０mm以下、好適には、３０〜４０mmの範囲内の寸法（例えば、３５mm）に設定され、上記高低差(Sh)は、５０mm以下、好適には、２０〜３０mm範囲内の寸法（例えば、２５mm）に設定され、自由空間の寸法（S1,S2)は、５０mm以下、好適には、２０mm〜３５mmの範囲内の寸法（例えば、２５mm）に設定される。好ましくは、床材本体の下面(2b)は、上記凹所の中心(Bc)よりも上方の高さ位置に位置し、床材本体の下面と中心との高低差(ΔS)は、１５mm以下の寸法（例えば、６mm）に設定される。更に好ましくは、床面延設部材は、床材本体の端部に固定されたアルミ押出形材からなり、床材本体の上面を延長する水平延出板部分(30)と、この水平延出板部分の基端部から垂下する鉛直板部分(31)と、上記横架材の外周面と対向して自由空間を画成する斜行板部分(32)とを有する。好適には、斜行板部分は、識別表示として機能する表示具(90)を脱着可能に保持する保持部(34)を有する。
【手続補正２１】
【補正対象書類名】明細書
【補正対象項目名】００３１
【補正方法】変更
【補正の内容】
【００３１】
所望により、上記フック本体は、フック本体を水平に貫通する番線挿通孔(9,19)を備える。
【手続補正２２】
【補正対象書類名】明細書
【補正対象項目名】００３２
【補正方法】削除
【補正の内容】
【手続補正２３】
【補正対象書類名】明細書
【補正対象項目名】００３３
【補正方法】変更
【補正の内容】
【００３３】
本発明の好適な実施形態において、上記床材部品の幅は、１８０〜３２０mmの範囲内の寸法に設定され、上記ジョイント部材の幅は、５〜５０mm（好ましくは、１０〜２５mm）の範囲内の寸法に設定され、ジョイント部材を介して一体化した上記床材本体の幅は、４００〜７００mmの範囲内の寸法に設定される。好ましくは、床材部品は、床材部品の長手方向に延びる床材部品の鉛直中心面に対して実質的に左右対称の断面形状を有する。「実質的に左右対称」とは、他の部品との連結、接合、係合等に関係しない内部補強構造等については、必ずしも「左右対称」であることを要しないという趣旨の記載である。このような仮設床材の床材部品を用いた幅１８０〜３２０mmの仮設床材においては、床材部品の第１端部及び第２端部に左右一対のつかみ金具のフック本体が取付けられる。好適には、上記リブ(41)の第１端部及び第２端部には、フック本体の基部をリブに取付けるためのフック取付け手段が設けられる。
【手続補正２４】
【補正対象書類名】明細書
【補正対象項目名】００３４
【補正方法】変更
【補正の内容】
【００３４】
好ましくは、上記フック本体の基部(6a,11a)は、上記リブ(24:27:41)の鉛直部と平行に配置され且つ平面視において真っ直ぐに延びる板状部材からなり、上記フック本体は、仮設床材の各端部に対をなして配置されるとともに、仮設床材の平面視鉛直中心軸線に対して１８０度の回転対称の取付け位置に配置される。
【手続補正２５】
【補正対象書類名】明細書
【補正対象項目名】００５９
【補正方法】変更
【補正の内容】
【００５９】
本実施例の仮設床材１に関し、その撤去作業の過程又は工程が図７に示されている。前述の如く、仮設床材１は、左右一対の可動式つかみ金具４を布枠本体２の一端部に配設し、左右一対の固定式つかみ金具１０を布枠本体２の他端部に配設した構成を有する。可動式つかみ金具４は、図８に示すつかみ金具１０４と概ね同等の構造を有するが、固定式つかみ金具１０は、前述の如く、フック本体１１に固定された固定爪からなる外れ止め１２を有する。外れ止め１２は、図７（Ｃ）に示すように横架材Ｂの下半部外周域に延び、フック本体１０６の上方変位を阻止し、従って、外れ止め５と同様、外れ止め１２も又、風圧等に起因した仮設床材１の浮き上がり等を防止するように機能する。
る。
【手続補正２６】
【補正対象書類名】明細書
【補正対象項目名】００８３
【補正方法】削除
【補正の内容】
【手続補正２７】
【補正対象書類名】明細書
【補正対象項目名】００８４
【補正方法】変更
【補正の内容】
【００８４】
例えば、上記実施例の説明は、主として、枠組足場の建枠によって仮設床材を支持した構成に関するものであるが、前述のとおり、本発明の仮設床材は、楔結合式足場の横架材（腕木）によっても支持することができる。所望により、本発明の仮設床材をブラケット足場、移動式足場等の他の形式の足場において使用し、或いは、他の形式の足場において好適に使用し得るように設計変更することも可能である。
【手続補正２８】
【補正対象書類名】明細書
【補正対象項目名】００８５
【補正方法】変更
【補正の内容】
【００８５】
また、つかみ金具の各部構造については、本発明に適合する限りにおいて、従来の任意の形態、寸法又は設計を適宜採用することができ、また、押出形材の補剛リブの断面性状及び寸法等については、本発明に適合する限りにおいて、任意の設計を採用することができる。
【手続補正２９】
【補正対象書類名】明細書
【補正対象項目名】００８６
【補正方法】変更
【補正の内容】
【００８６】
更に、上記実施例では、つかみ金具をボルト・ナット組立体又はリベットによって床材本体に固定しているが、つかみ金具を他の固定手段又は接合手段によって床材本体に固定しても良い。
【手続補正３０】
【補正対象書類名】明細書
【補正対象項目名】００８７
【補正方法】変更
【補正の内容】
【００８７】
本発明は、建築・土木工事等において使用される枠組足場、楔結合式足場等において、仮設足場の横架材等に係合するつかみ金具によって隣り合う横架材の間に架設又は懸架され、仮設足場の作業通路又は作業床を形成する仮設床材に適用される。本発明の仮設床材によれば、つかみ金具によって横架材間に架設又は懸架される仮設床材を軽量なアルミ押出形材によって比較的安価に製造することができ、従って、本発明は、仮設足場の設置・撤去作業の作業性を改善する軽量なアルミ製仮設床材の普及に寄与する。また、床面延設部材を備えた本発明の仮設床材によれば、仮設床材の端部と、他の仮設部材のフック部又は係留金具等とが横架材近傍で位置的又は物理的に干渉するのを確実に防止することできる。かくして、本発明によれば、仮設床材の軽量化や横架材廻りの自由空間確保等により、仮設足場の設置又は撤去作業等に従事する作業者の作業上の負担又は負荷を大幅に軽減することが可能となるので、その実用的効果は、顕著である。
【手続補正３１】
【補正対象書類名】明細書
【補正対象項目名】００６６
【補正方法】変更
【補正の内容】
【００６６】
図９（Ｂ）に示す如く、床面延設部材３は、床材本体２の端部から比較的大きく突出し、床面延設部材３の先端部は、隣接する仮設床材１の床面延設部材３（破線で示す）の先端部に近接する。このため、布方向（長手方向）に隣接する床材本体２同士を比較的大きく離間させることができる。本例において、斜行板３２及び横架材Ｂは、直径方向の距離Ｓ１、Ｓ２を隔てて離間しており、横架材Ｂ廻りに延在する比較的大きな自由空間Ｓが斜行板３２と横架材Ｂとの間に形成される。距離Ｓ１、Ｓ２は、１５mm〜５０mmの範囲内、好適には、２０mm〜３５mmの範囲内（例えば、約２５mm）に設定される。このような自由空間Ｓを形成するため、床材本体２の下面２ｂは、横架材Ｂの中心Ｂｃ（フック本体６、１１の凹所中心）よりも上方に位置し、下面２ｂと中心Ｂｃとの高低差ΔＳは、１５mm以下、好ましくは、３〜１０mmの範囲内（例えば、６mm）に設定される。また、床材本体２の上面２０と横架材Ｂの頂部Ｂａとの高低差Ｓｈは、１５mm〜５０mmの範囲内、好適には、２０〜３０mm（例えば約２５mm）に設定され、床材本体２の端面と横架材Ｂとの水平離間距離Ｓｔは、１５mm〜５０mmの範囲内、好適には、３０〜４０mmの範囲内（例えば約３５mm）に設定される。自由空間Ｓは、横架材Ｂに係止又は係合する部材と、仮設床材１との位置的又は物理的干渉を防止するクリアランス（隙間）として機能する。例えば、仮設階段のフック部（図示せず）や、強化方杖等の補剛材の係留金具（図示せず）は、自由空間Ｓの形成により、床材本体２及び床面延設部材３と位置的又は物理的に干渉することなく、比較的容易に横架材Ｂに係止又は係合することができる。また、このようなクリアランスの形成により、隣り合う仮設床材１の端面間において作業床又は作業通路が分断されるが、前述のとおり、床面延設部材３は、床材本体２の上面（床面）２０を延長し、隣接する仮設床材１同士の間に実質的な隙間が形成されるのを防止する。